(57)【特許請求の範囲】
【請求項１】
複数の通信パスが多重される通信回線を介して互いにリング状に接続される複数のノードをそれぞれ備える複数のリングネットワークを具備するネットワークシステムに備えられ、前記複数のノードから通知される通知情報を監視制御用回線を介して収集する機能と、表示器とを有する監視制御装置を用いる通信パス設定方法であって、
いずれかのリングネットワークを選択し、この選択されたリングネットワークに属するノードの間の区間に対応付けて前記表示器の画面を複数の領域に区分けし、前記区間に存在する通信パスにそれぞれ対応付けられた矢印を前記区分けされた領域に表示する準備ステップと、
設定すべき通信パスの始点となるノードの低速側チャネルを前記画面上において指定する第１のステップと、
設定すべき通信パスの終点となるノードの低速側チャネルを前記画面上において指定する第２のステップと、
前記第１および第２のステップで指定されたノード区間に対応する表示領域に、設定すべき通信パスに対応付けられた矢印を表示する第３のステップと、
他に設定すべき通信パスがある場合は、前記第１乃至第３のステップを繰り返す第４のステップと、
前記設定すべき通信パスに対応付けられた矢印に対応する通信パスの設定要求を、当該通信パスの形成に関係するノードに送出する第５のステップと、
通信パスの設定要求を受けたノードが、当該要求に基づいて新たな通信パスを形成する第６のステップとを具備し、
前記準備ステップは、前記収集した通知情報に基づいて現時点のパス設定状態を前記表示器の画面の表示内容に反映させるステップであることを特徴とする通信パス設定方法。
【請求項２】
前記第１および第２のステップは、ノードの低速側のチャネルの指定に加えて、設定すべき通信パスのコンカチネーションの種別の指定も行うことを特徴とする請求項１に記載の通信パス設定方法。
【請求項３】
設定すべき通信パスがデュアルホーミングパスである場合に、
さらに、設定すべき通信パスの中間ドロップ点となるノードの低速側チャネルを指定する第７のステップを備え、
前記第１、第２および第７のステップは、ノードの低速側のチャネルの指定に加えてノード種別の設定も行うステップであることを特徴とする請求項１に記載の通信パス設定方法。
【請求項４】
前記通信回線が、現用系回線と予備系回線とを備え、
前記複数のリングネットワークが、前記現用系回線を介して伝送されるサービストラフィックを前記予備系回線に迂回させるトラフィック迂回機能をそれぞれ備える場合に、
前記第６のステップは、
通信パスの設定要求を受けたノードが自装置のトラフィック迂回機能をロックする第８のステップと、
この第８のステップが完了した後、前記通信パスの設定要求に基づく新たな通信パスを形成する第９のステップと、
この第９のステップが完了した後、前記トラフィック迂回機能のロックを解除する第１０のステップとを備えることを特徴とする請求項１に記載の通信パス設定方法。
【発明の詳細な説明】
【０００１】
【発明の属する技術分野】
本発明は、例えば光海底ケーブルシステムなどの情報伝送システムで利用される監視制御装置の表示器の画面を用いて実施される通信パスの設定方法に関する。
【０００２】
【従来の技術】
一般に、伝送システムには、通信データを伝送するノードと、通信ネットワークに対してＯＡＭ（Operations，Administration and Maintenance）サービスを提供する監視制御装置とが設けられる。
【０００３】
ところで、近年になり、ネットワークの世界規模での広がりによりネットワークを構成する機器の数が増え、これに伴って監視制御対象（ノードなど）の数が多くなっている。このため監視制御装置におけるオペレーションの煩雑化、高度化が甚だしくなり、運用者の負担が大きくなっている。
【０００４】
【発明が解決しようとする課題】
このように近年の伝送システムでは、監視制御装置におけるオペレーションの煩雑化、高度化が甚だしくなっており、何らかの解決策を提供することが望まれている。
【０００５】
本発明は上記事情によりなされたもので、その目的は、ヒューマンマシンインタフェースを改善し、運用上の便宜の向上を図った通信パス設定方法を提供することにある。
【０００６】
【課題を解決するための手段】
上記目的を達成するために本発明は、以下に示す手段を講じている。
この発明に係わる通信パス設定方法は、複数の通信パスが多重される通信回線を介して互いにリング状に接続される複数のノードをそれぞれ備える複数のリングネットワークを具備するネットワークシステムに備えられ、表示器を有する作業者用端末装置を用いる通信パス設定方法であって、自装置が接続されるノードが属するリングネットワークにおける各ノードの間の区間に対応付けて前記表示器の画面を複数の領域に区分けし、前記区間に存在する通信パスにそれぞれ対応付けられた矢印を前記区分けされた領域に表示する準備ステップと、設定すべき通信パスの始点となるノードの低速側チャネルを指定する第１のステップと、設定すべき通信パスの終点となるノードの低速側チャネルを指定する第２のステップと、前記第１および第２のステップで指定されたノード区間に対応する表示領域に、設定すべき通信パスに対応付けられた矢印を表示する第３のステップと、他に設定すべき通信パスがある場合は、前記第１乃至第３のステップを繰り返す第４のステップと、前記設定すべき通信パスに対応付けられた矢印に対応する通信パスの設定要求を、当該通信パスの形成に関係するノードに送出する第５のステップと、通信パスの設定要求を受けたノードが、当該要求に基づいて新たな通信パスを形成する第６のステップとを具備することを特徴とする。このようにすると、監視制御装置の表示画面を用いてパスの設定作業を直感的に行うことができるため、ユーザインタフェースが向上され、ユーザにとっての便宜を向上させることが可能になる。
【０００７】
【発明の実施の形態】
以下、図面を参照して本発明の実施の形態を詳細に説明する。
図１は、本発明の実施の形態に係わる監視制御装置が設置される伝送システムのシステム構成図である。図１において、複数の局舎（Station）ＳＴ−１〜ＳＴ−ｍに複数のノード（ＮＯＤＥ）１−１〜１−ｎがそれぞれ設置される。ノード１−１〜１−ｎは、高速回線ＯＬを介して互いにリング状に接続され、複数のリングネットワークが形成される。すなわちｎ個のリングネットワークが存在し、各リングネットワークは、それぞれノード１−１，１−２，…，１−ｎをｍ個備えて形成される。
【０００８】
上記高速回線ＯＬは、例えばＳＴＭ−６４（Synchronous Transfer Module-level 64：１０Ｇｂｐｓに相当）クラスの伝送容量を有した同期多重回線として実現される。個々のリングネットワークを形成する高速回線ＯＬは、光信号を伝送する。この光信号の波長は、リングネットワークごとに互いに異なり、これらの波長の光信号が波長多重されて波長多重回線ＦＬが形成される。
【０００９】
各局舎ＳＴ−１〜ＳＴ−ｍにおけるノード１−１〜１−ｎは、局舎ごとにそれぞれ局舎内監視制御装置（ＳＳＥ）２に接続される。ＳＳＥ２は、さらにＬＡＮを介して監視制御装置（Ｕ−ＮＭＥ）３に接続される。また、ＬＡＮにはルータ４が接続され、このルータ４を介して各局舎のＵ−ＮＭＥ３を相互に結ぶ監視制御用回線ＭＬが形成される。なお、図１に示す監視制御用回線ＭＬは、論理的には波長多重回線ＦＬを介して伝送されるＳＤＨフレームのＳＯＨ（Section Over Head ）に定義されたＤＣＣ（Data Communication Channel）などにより実現される。
【００１０】
図２に、図１に示された監視制御装置（Ｕ−ＮＭＥ）３の構成を示す。Ｕ−ＮＭＥ３は、網内全域に渡る監視制御を担うものである。図２のＵ−ＮＭＥ３は、メモリモジュール３１、プロセッサモジュール３２、ブリッジ３３、ＳＣＳＩ（スカジー）コントローラ３４、ＨＤ（ハードディスクドライブ）３５、８ｍｍＣＭＴ（Cassette Magnetic Tape）３６、グラフィックコントローラ３７、Ethernetコントローラ３８、バスコントローラ３９、ＦＤＤ（フロッピーディスクドライブ）３１０、インタフェース（Ｉ／Ｆ）３１１、ディスプレイインタフェース（Ｉ／Ｆ）３１２、ＬＡＮインタフェース（Ｉ／Ｆ）３１３，３１４、ディスプレイ３１５、ハブ（Ｈｕｂ）３１６，３１７、プリンタ３１８、入力装置３１９（キーボード、マウスなど）、サウンドコントローラ３２０、ブザーインタフェース（Ｉ／Ｆ）３２１、及び、ブザー３２２を備えている。
【００１１】
このうち、本発明の思想に関係が深いものは、ディスプレイ３１５、８ｍｍＣＭＴ３６、ＦＤＤ３１０、プリンタ３１８、入力装置３１９、及び、ブザー３２２などからなるヒューマンマシンインタフェースユニットである。なお、入力装置３１９のマウスはディスプレイ３１５のアイコンやオブジェクトをクリックするもので、左右２つのクリックボタンを備えるものとする。
【００１２】
次に、上記構成における作用を説明する。以下の説明においては、便宜上、（Observation Display）、（U-NME Shutdown）、（Login/Logout）、（Notification Display）、（Alarm Summary Display）、（HS APS Activate Summary Display）、（Ｌｏｇ  Ｃｏｎｔｒｏｌ）、（Ｐｅｒｆｏｒｍａｎｃｅ  Ｃｏｎｔｒｏｌ）、（Ａｌａｒｍ  Ｃｏｎｔｒｏｌ）、（Ｎｅｔｗｏｒｋ  Ｃｏｎｆｉｇｕｒａｔｉｏｎ），（ＮＯＤＥ  Ｆｕｎｃｔｉｏｎ）、（Ｓｅｃｕｒｉｔｙ  Ｃｏｎｔｒｏｌ），（Ｓｙｓｔｅｍ  Ｓｅｒｖｉｃｅ）、（Ｄｉｓｐｌａｙ  Ｃｏｎｔｒｏｌ）なる１４の章を設ける。
【００１３】
以下に説明される、監視制御装置Ｍ１〜Ｍｎが備える各機能は、主として図２のプロセッサモジュール３２により実行される制御プログラムに、例えばパッチを当てることにより新たに実装されるものである。この制御プログラムは専用の言語で記述され、メモリモジュール３１、ＨＤ３５などに記憶される。
【００１４】
なお以下の説明では、便宜上、図１においてｎ＝３２、ｍ＝７としたシステムを想定する。すなわち、３２個のリングネットワークを備え、かつ各リングネットワークごとに７つのＮＯＤＥを備えるシステムを想定する。
【００１５】
（Observation Display）
図３に、Ｕ−ＮＭＥ３が起動されたときにディスプレイ３１５に表示される画面を示す。この画面は“Observation Display”と称され（画面最上部に、画面の名称が表示される）、背景画面として表示される。このことから、図３に示されるウインドウを“主画面”と称することにする。
【００１６】
この主画面には、Ｕ−ＮＭＥ３から行うことができる各種の設定や、監視情報等を表示させるための各ボタンが表示されており、これらの各ボタンがクリックされることにより、様々な機能画面（ウインドウ）が表示される。
【００１７】
ネットワークシステム構成の全体が視覚的に把握しやすいようにするために、図３の主画面には、システムの設置される地域の地図が表示される。この主画面には、上記の地図に重ねて、各局舎（以下ステーションと称する）Station A〜Station Gを示すステーションアイコンと、各ステーションを結ぶ伝送路（図１の波長多重回線ＦＬに相当する）を示す伝送路アイコンとが、グラフィカルに表示される。各ステーションアイコンは、（○印）として、伝送路アイコンは線として表示される。ステーションアイコンの傍には、そのステーションが設置される地域のタイムゾーンに応じた時刻が表示される。
【００１８】
また、この主画面には、協定世界時（Universal Time Coordinated：ＵＴＣ）で示される現在時刻も表示されている。図１に示すような国際間に跨るシステムにおいては、ネットワーク全体に係わる各種の情報に付加される時間情報をローカルタイムで表示すると、各情報の発生時刻の前後関係の把握が難しくなる。そこで本実施形態では、協定世界時（Universal Time Coordinated：ＵＴＣ）を使用している。
【００１９】
更に、図３の主画面上に表示されるステーションアイコンと伝送路アイコンは、表示色を変えることにより、障害の発生の有無、及び障害の程度を表示するようになっている。例えば、障害発生時の表示色は、Station Aにおける障害が重度（critical）、伝送路の障害が中程度（minor）であれば、Station Aのアイコンは赤色で、伝送路アイコンは黄色でそれぞれ表示される。また、障害の無いステーション、およびケーブルは、例えばグリーンで表示される。
【００２０】
いま仮に、Station Aに属する３２個のＮＯＤＥのうち、いずれかまたは複数に障害が発生しているとする。また、Station DとStation Eとを結ぶ伝送路に障害が発生しているものとする。Ｕ−ＮＭＥ３は、各ＮＯＤＥから通知される通知情報に基づいて、これらの障害が生じているという情報を把握する。このとき、図３の主画面上では、Station DとStation Eの間の伝送路アイコン、及び、Station Aアイコンが、その障害の程度に応じて他と異なる表示色で表示される。
【００２１】
さて、図３の画面には、クリッカブルな機能ボタンが表示される。すなわち、Notificationボタン、Alarm Summaryボタン、HS APS Activate Summaryボタン、Logボタン、Performanceボタン、Alarmボタン、Network Configurationボタン、Node Functionボタン、Securityボタン、System Serviceボタン、Displayボタン、U-NME Shutdownボタン、及び、Login/Logoutボタンが表示される。
【００２２】
このうち、左上部のNotificationボタン、Alarm Summaryボタン、HS APS Activate Summaryボタン、及び、右上部のLogin/Logoutボタンは、常時アクティブ表示される。これに対して、他の９つのボタンは、ログインユーザのレベルに応じてアクティブまたはインアクティブ表示される。
【００２３】
いま仮に、図３の画面を表示するＵ−ＮＭＥ３がログインされていない状態であるとする。このとき、Logボタン、Performanceボタン、Alarmボタン、Network Configurationボタン、Node Functionボタン、Securityボタン、System Serviceボタン、Displayボタン、及び、U-NME Shutdownボタンからなる９つのボタンは、いずれもインアクティブ表示になる。なお、インアクティブ表示とは、文字の色が薄くされたり、文字が点線で描かれたりする表示の形態で、クリック操作に応答しない状態を示す。
【００２４】
（Login/Logout）
まず、ログインとログアウトについて説明する。
【００２５】
図３のLogin/Logoutボタンがクリックされると、図４のLoginウインドウが表示されて、ログインプロセスが開始される。このLoginウインドウには、ユーザー名（User Name）とパスワード（Password）の入力欄が設けられている。ユーザは、図４のウインドウ上で自己の名前とパスワードを入力し、Execボタンをクリックすることで、Ｕ−ＮＭＥ３にログインすることができる。これに対して、Quitボタンがクリックされると、ログインプロセスは中止される。
【００２６】
ただし、初めてログインするユーザが上記の操作を行うと、ExecボタンがクリックされたのちLoginウインドウが閉じられ、図５のChange Passwordウインドウが表示される。このウインドウには、上記入力されたユーザ名とともに、旧パスワード（Old Password）、新パスワード（New Password）、パスワード確認（Confirm Password）の入力欄が表示される。図５のウインドウ上で、各欄への入力ののちExecボタンがクリックされると、パスワードの設定が完了する。また図５のウインドウでQuitボタンがクリックされると、パスワードを変更するための処理が中止され、ウインドウが閉じられる。
【００２７】
このようにしてログイン処理が完了すると、図３のインアクティブ表示のボタンのうちいくつかが、ログインユーザのレベルに応じてアクティブ表示となる。
【００２８】
一方、ログイン状態からログアウトするには、図３のLogin/Logoutボタンをクリックする。すると、「ログアウト処理を実行してよろしいですか？実行するならばＯＫボタンを、キャンセルするならばＣａｎｃｅｌボタンをクリックして下さい」という旨を示すＣＡＵＴＩＯＮ（警告）ウインドウ（図示せず）が表示される。このようにして、ユーザに確実な処理が促される。ユーザは、このウインドウに設けられたＯＫボタンまたはＣａｎｃｅｌボタンをクリックすることにより、適切な操作を施す。
【００２９】
ただし、パス設定作業などの、ネットワークシステムに及ぼす影響の大きい作業の実施中にLogin/Logoutボタンがクリックされると、「パス設定制御機能の実行中です。ログアウトを受け付けることはできません。パス設定制御処理が終了してから再度リトライして下さい。」の旨を示すＣＡＵＴＩＯＮウインドウ（図示せず）が表示されて、ログアウト処理を受け付けないことを示すようにする。
【００３０】
なお、主画面上でオープン可能な機能画面の最大数に達している状態で、さらにもう一枚画面をオープンしようとしたときには、「同時起動数オーバーです」の旨のＣＡＵＴＩＯＮウインドウ（図示せず）が表示される。
【００３１】
（U-NME Shutdown）
次に、U-NME Shutdownについて説明する。
主画面上のU-NME Shutdownボタンがクリックされると、Ｕ−ＮＭＥ３がシャットダウンされる。
【００３２】
（Notification Display）
次に、Ｕ−ＮＭＥ３が監視対象とする各ノード等のオブジェクトからの通知情報を、一覧表示するためのNotification機能について説明する。
【００３３】
図３の主画面において、Notificationボタンがクリックされると、図６のNotification Displayウインドウが表示される。このウインドウには、Ｕ−ＮＭＥ３が監視対象とするオブジェクト（例えば、各ＮＯＤＥや伝送路など）の状態を示す情報が、テキスト形式で一覧表示される。
【００３４】
上記の情報には、各ノードにおいて発生したアラーム情報や、データの伝送品質に関係するパフォーマンスデータなどが含まれる。これらの情報は、通知情報（Notification）として各ＮＯＤＥからＵ−ＮＭＥ３に通知される情報である。
【００３５】
各ノードは、伝送データのビットエラー率や、伝送路障害の発生した数などといったパフォーマンスイベント（以下、イベントと称する）ごとに、その状態を示す数値であるパフォーマンスデータの値を定期的にモニタしている。このモニタ結果をもとにして、各ノードにおいて通知情報が生成される。
【００３６】
図６の表示領域には、各ＮＯＤＥから通知された通知情報が時系列的に、例えば発生順に、上から並べて表示される。通知情報に含まれるデータを一度に表示するのは難しいため、図６のウインドウには縦横のスクロールボタンが設けられている。また、図６のウインドウには、スクロールをロックするためのScroll Lockチェックボックスが設けられており、このボックスをチェックすることにより、スクロールをロックすることもできる。
【００３７】
図６には、項目領域に、Time、Date、Ring Network、Station、NODE/SSE、Event Type、及び、Shelf(Object Class)なる、通知情報の属性が表示されている。このほかに、図中では隠れているが、Shelf(Object Class)の右側にさらに多くの項目が有る。これは、横のスクロールボタンを操作することによりウインドウ中に表示させることができる。
【００３８】
Time項目およびDate項目は、イベントの発生日時を示す。Ring Network項目は、３２個のリングネットワークのうち、イベントの発生したリングネットワークの識別子を示す。Station項目は、７個のステーションのうち、イベントの発生したＮＯＤＥが属するステーションの識別子を示す。NODE/SSE項目は、イベントが生じたＮＯＤＥまたはＳＳＥに付された個有名称（ニックネームなど）を示す。Event Type項目はイベントの種別を示す。Shelf(Object Class)項目は、イベントが生じたＮＯＤＥにおける、当該イベントの生じたシェルフを示す。
【００３９】
なおシェルフとは、ＮＯＤＥを形成する部分の一つである。各ＮＯＤＥは、複数のシェルフから形成される。また、シェルフは、インタフェース基板や制御基板など、複数の基板を備えて構成される。
【００４０】
図６のウインドウ中に、Item Selectionとして示される２つのボタンがある。すなわち、RowボタンとColumnボタンである。このうちRowボタンがクリックされると、図７のItem Selection（Row）ウインドウが表示される。このウインドウは、図６の表示領域における絞り込み検索（フィルタリング）を行うためのものである。
【００４１】
図７のウインドウには、それぞれ項目（アイテム）の属性を指定するための複数のスクロールウインドウが表示される。各スクロールウインドウに示される項目が任意に選択されたのち（選択された行は反転表示となる）、Execボタンがクリックされると、上記選択の結果に基づいて各項目の内容が絞り込まれる。そして、画面の表示は再び図６のウインドウに戻り、上記絞り込まれた内容のみが表示される。
【００４２】
また、図７のウインドウにはCancelボタンが表示され、このCancelボタンがクリックされると設定が中止される。また、図７のウインドウにはDefaultボタンが表示され、このDefaultボタンがクリックされると、設定内容が初期状態（すなわち各項目の全ての属性が選択された状態）に戻される。
【００４３】
次に、図６においてColumnボタンがクリックされると、図８のItem Selection（Column）ウインドウが表示される。このウインドウは、図６における表示内容の順序を変更する（ソーティング）ためのものである。図８のウインドウにおける設定項目としては、（Common Item）、（Alarm Notification）、（State Change Notification）、（Protection Switch Reporting Notification）、（Security Alarm Notification）がある。これらの項目の右側には優先度を示す数字が示され、図８では左の（Common Item）から順に１，２，３，４，５となっている。
【００４４】
すなわち、図６の項目領域に表示される項目は、この優先順位に対応して左から順番に表示される。もちろん、項目の表示の順序に応じて、表示領域に表示される内容も左右に移動する。この優先順位は、図８のウインドウ上で自由に変更することができる。
【００４５】
さらに、図８においては、各アイテムごとにチェックボックスが設けられている。このチェックボックスをチェックすることで、図６のウインドウに、チェックされた項目のみを表示させることもできる。
【００４６】
なお、図８のウインドウで各項目が設定されたのち、Execボタンがクリックされることで、設定内容が有効となり、図６、図７の表示形式が変更される。図８のCancelボタンがクリックされると、図８のウインドウを用いた作業が中止され、図８のウインドウが閉じられる。
【００４７】
次に、図６において、表示領域における特定のライン（例えば上から２行目）が選択（クリック）されると、図９のNotification Detailed Displayウインドウが表示される。このウインドウは、上記選択されたラインの通知情報につき、より詳細な内容をテキストで表示するものである。これにより、個々の通知情報につき、より詳細な情報が分かりやすく表示される。また、特定のイベントについては図６で表示しきれないものもあるが、図９のウインドウによれば情報を漏れなく表示することが可能となる。
【００４８】
次に、図６においてＡＣＯ（Alarm Cut Off）ボタンがクリックされた場合に表示されるウインドウにつき説明する。図６のＡＣＯボタンがクリックされると、図１０のAlarm Cut Offウインドウが表示される。このウインドウは、Ｕ−ＮＭＥ３が監視対象とするＮＯＤＥのうち、アラーム通知を受信したくない（アラーム通知をマスクする）ＮＯＤＥを選択指定するためのウインドウである。
【００４９】
図１０のウインドウは、２つのスクロールウインドウを備える。一方のスクロールウインドウ（図１０では上部）には、Ｕ−ＮＭＥ３が現時点で監視対象としているＮＯＤＥが全て表示される。このウインドウで任意のＮＯＤＥが選択されたのちExecボタンがクリックされると、選択されたＮＯＤＥにつき、アラームの受信をマスクする設定が有効となる。
【００５０】
図１０のウインドウでQuitボタンがクリックされると、このウインドウを用いた作業が終了されて、図１０のウインドウがクローズされる。また、他方のスクロールウインドウ（Console）には、選択されたＮＯＤＥとのアクセス内容が、例えばＯＫまたはＮＧ（No Good）などとして表示される。
【００５１】
次に、図１１に示されるU-NME Buzzer STOPウインドウにつき説明する。Ｕ−ＮＭＥ３においては、ＮＯＤＥから所定の通知を受信した際に、ブザー３２２が鳴動されて、通知を受信した旨がユーザに通知されるようになっている。図１１のウインドウは、当該ブザー３２２の鳴動を停止するためのウインドウである。すなわち、図１１のSTOPボタンがクリックされることでブザーの鳴動が停止し、かつこのウインドウがクローズする。なお、どのような通知に対応してブザー３２２を鳴動させるかは、次の図１２のHMI（Human Machine Interface）Propertyウインドウで設定される。
【００５２】
次に、図１２に示されるHMI Propertyウインドウにつき説明する。図１２のHMI Propertyウインドウは、図６のHMI Propertyボタンがクリックされると表示される。このウインドウは、ブザー３２２を鳴動させる条件、及び、図１１のU-NME Buzzer STOPウインドウが表示される条件を設定するためのものである。
【００５３】
図１２のウインドウには、“Window Auto Open”として図６のNotification Displayウインドウを自動的にオープンさせるか、させないかを設定するためのラジオボタンが設けられている。このラジオボタンでＯＮがチェックされると、いずれかのＮＯＤＥから通知を受信した際に、図６のNotification Displayウインドウが自動的にオープン（ポップアップ）される。
【００５４】
また図１２のウインドウには、NME Buzzerとして、Communications AlarmからState Changeまでの各イベントごとに、On/Offを指定するためのラジオボタンが表示される。各ラジオボタンでOnまたはOffを指定することにより、どのイベントにつきブザー３２２を鳴動させるかの条件を設定することができる。例えば、図１２のウインドウではCommunications Alarm，Equipment Alarm，Environmental Alarmの３つがONとなっている。この設定状態においては、これらの３つのイベントうちいずれかが発生した旨が、いずれかのＮＯＤＥから通知された場合にのみ、Ｕ−ＮＭＥ３のブザー３２２が鳴動する。
【００５５】
さらに、図１２においては、Communications Alarm〜Security Alarmなるイベントにつき、その重要度を指定できるようになっている。図１２ではいずれも“Critical”（最重要）が指定されており、各イベントタイプのうち最も重要度の高いものが通知されたときにのみ、ブザー３２２が鳴動するようになっている。すなわち、図１２の設定では、CriticalレベルのCommunications Alarm、CriticalレベルのEquipment Alarm、およびCriticalレベルのEnvironmental Alarmのうち、いずれかが通知された場合に、ブザー３２２が鳴動することになる。
【００５６】
図１２のウインドウでExecボタンがクリックされると、以上に述べた各設定が有効となる。また、図１２のQuitボタンがクリックされると、設定作業が中止されて、図１２のウインドウがクローズされる。
【００５７】
このほか、図１２のウインドウでは、ブザー３２２のボリュームレベル（Volume Level）を、０〜１００％の範囲で設定できるようになっている。
【００５８】
さらに、図１２のウインドウには、Clear Displayボタンが表示されている。このボタンは、図６のNotification Displayウインドウの表示内容をクリアするためのものである。すなわち、図６の表示領域には、イベントの発生のたびごとに、アイテムが累積的に表示されていく。これを放置しておくと、ユーザが画面をスクロールして所望の情報に辿り着くまでに時間がかかりすぎるなどの不都合が生じる。
【００５９】
そこで、Clear Displayボタンがクリックされ、図６の表示領域の内容を画面からクリアされることで、上記のような不都合を解消することが可能になる。
【００６０】
なお、図６の表示内容がクリアされたとしても、Ｕ−ＮＭＥ３のデータベース（例えばハードディスク３５の所定の記憶領域）に記憶された通知データは消去されることなく、そのまま継続して蓄積される。
【００６１】
（Alarm Summary Display）
次に、警報（アラーム）の発生状況の表示や、警報の表示条件を設定するための、Alarm Summary機能について説明する。
【００６２】
図３のAlarm Summaryボタンがクリックされたときに表示されるウインドウにつき説明する。Alarm Summaryボタンがクリックされると、図１３のNetwork Alarm Summary Displayウインドウが表示される。このウインドウは、図１に示されたシステムにおける警報（アラーム）の発生状況を、テキスト形式で、およびグラフィカルイメージで表示するものである。図１３においては、発生したアラームごとに、その発生箇所、予期される原因（Probable Cause）、重要度（Severity）がテキスト形式で示される。このウインドウでは、どのリングネットワークの（Ring Network）、どのステーションの（Station）、どのノードの（NODE）、どのシェルフの（Shelf）、どのカード（Card：基板）にアラームが生じているというように、アラームの発生箇所が詳しく表示される。
【００６３】
図１３のウインドウの第１の特徴は、複数のタブを表示し、個々のタブに対応付けて、複数のリングネットワークのうち一つを選択できるようにしたことである。すなわち、ウインドウの左側に表示される複数のタブのうちいずれかがクリックされると、３２個のリングネットワークのうち一つが選択される。なお、図１３ではALLタブが選択されている。このタブがクリックされると、図１３に示すように、全てのリングネットワークに係わるデータがテキスト形式で表示される。
【００６４】
図１３のウインドウの第２の特徴は、障害の存在するリングネットワークに対応するタブを、他のタブと異なる色で表示したことにある。例えば、障害無しのリングネットワークに対応するタブの表示色はグリーン、障害有りのリングネットワークに対応するタブは赤で表示される。なお、障害の程度に応じて、タブの色を変えても良い。図１３では、他のタブと色が異なるタブをハッチングして示す。図１３においては、Ring Network#01，Ring Network#02，Ring Network#14に障害が発生していることが示される。
【００６５】
図１３において、Ring Network#01タブがクリックされると、ウインドウにおける表示は図１４に示すようになる。この図には、Ring Network#01の構成が模式的に示される。図１４において、一つ一つの四角形がＮＯＤＥに対応し、これらのＮＯＤＥを結ぶ線が伝送路に対応する。現用系（Service：SRV）伝送路は実線で、予備系（Protection：PRT）伝送路は点線で示される。
【００６６】
図１４においては、Ring Network#01タブが赤色で表示され（ハッチングして示す）、Ring Network#01に障害有りの旨が示される。また、NODE #28の表示色が他のノードと異なり（例えば赤色で表示される）、このノードに障害有りの旨が示される。なお、伝送路に障害がある場合には、当該伝送路の表示色が他と異なるものとなる。このように表示することで、ユーザは、障害の発生箇所を一目瞭然で把握できるようになる。さらに、図１４のウインドウには、Ring Network#01における障害の状況がテキスト形式で表示される。すなわち、図１４のウインドウには、図１３のテキスト表示欄のうちRing Network#01に関する部分を取り出した情報が表示される。なお、図１４においてNODE#220の傍にＥ，Ｗと表示されているのは、それぞれＥａｓｔ，Ｗｅｓｔを意味する。ここで言うＥａｓｔは、各Ｎｏｄｅから見て反時計回り方向（Counter Clockwise：ＣＷ）を、Ｗｅｓｔは各Ｎｏｄｅから見て時計回り方向（Clockwise ＣＷ）をそれぞれ意味する。
【００６７】
図１４のウインドウからNODE#28がクリックされると、図１５のNODE Alarm Summary Displayウインドウが表示される。このウインドウは、図１４のウインドウで選択されたＮＯＤＥのシェルフ構成を模式的に示すものである。図１５においては、NODE#28の構成が表示される。図１５では、低速側シェルフの＃１（ＬＳ  ＃１）の表示色が他のシェルフと異なっている（ハッチング部分：実際は赤色などで表示される）。このことは、ＬＳ  ＃１シェルフに障害が発生していることを意味する。
【００６８】
図１５においてＬＳ  ＃１シェルフがクリックされると、図１６のShelf Alarm Summary Displayウインドウが表示される。このウインドウは図１５でクリックされたシェルフの構成を概略的に示すものである。図１６においては、NODE#28のＬＳ  ＃１シェルフに、各種のカード（基板）が横一列に実装されている様子が示される。各カードを示す四角形には、それぞれのカードの名称が略号で示されている。
【００６９】
図１６において、ＳＴＭ−１６なる文字が表示された四角形がある。これらの四角形は、ＳＴＭ−１６信号を入出力するカードに相当する。このうち、ＳＴＭ−１６  ＳＲＶ１カードを示す四角形が、他と異なる表示色で表示されている（ハッチング部分）。このことは、当該カードに、Equipment Alarm（基板障害）が発生していることを意味する。この場合、このカード自体に障害が発生しているために、この基板が修理または交換されなければならない。
【００７０】
一方、図１６において、ＳＴＭ−１６  ＳＲＶ１７カードには、塗りつぶされた四角マークが表示されている。このことは、ＳＴＭ−１６  ＳＲＶ１７カードに、Communications Alarm（伝送路障害）が生じていることを意味する。すなわち、四角マークが赤色（図１６では塗りつぶされている）であれば、Communications Alarmが生じていることが示される。四角マークが緑色（図１６では塗りつぶされていない）であれば、Communications Alarmが生じていないことが示される。
【００７１】
Communications Alarm（伝送路障害）とは、カードに接続された伝送路に生じた障害を意味するものである。従って、図１６に示されるケースでは、ＳＴＭ−１６  ＳＲＶ１７カードに接続される伝送路を交換する必要がある。
【００７２】
また、図１６においては、各カードの名称の下に（○）または（●）なる目印が付された四角形がある。この目印は、ＬＥＤ（発光ダイオード）を模したもので、この目印の色によって、基板の使用状態が区別される。例えば、目印が緑色（図１６では○）であれば、その基板が使用状態であることが示される。目印が赤色（図１６では●）であれば、その基板が使用されていない状態であることが示される。
【００７３】
このように図１６においては、カードを示す四角形の色でEquipment Alarm（基板障害）の有無が識別される。また図１６においては、カードを示す四角形に付された小さな四角マークの色で、Communications Alarm（伝送路障害）が生じていることが示される。さらに、図１６においては、（○）印の色で、基板が使用されているか、否かを区別できるようになっている。このようにしたので、ユーザはカードの詳細な状態を一目で把握することが可能になる。
【００７４】
次に、図１７のStation Alarm Summary Displayウインドウにつき説明する。このウインドウは、図３において、ステーションアイコン（○）がマウスの左ボタンでクリックされることにより表示される。このウインドウには、クリックされたステーションに属するＮＯＤＥの全てが、識別番号とともに、アイコン（以下、ノードアイコンと称する）として表示される。
【００７５】
次に、図１５のNODE CONFボタンがクリックされたときに表示されるウインドウにつき説明する。図１５においてNODE CONFボタンがクリックされると、図１９のNODE Configuration Get Displayウインドウが表示される。このウインドウは、構成情報が変化したＮＯＤＥにつき、変化後の新たな構成情報を取得するためのウインドウである。ＮＯＤＥの構成情報には、シェルフの構成情報や、各シェルフのスロットに実装されるカードの実装の状態を示す情報などである。カードの実装の状態を示す情報には、各カードが正しく実装されているか、誤って実装されているか、または、カードが実装されていないスロットが有るか、有るとすればどのスロットか、などが有る。
【００７６】
図１９のウインドウには、「下記のＮＯＤＥの構成情報（configuration）に変更がありました。新規の情報を入手しますか？」とのメッセージが表示される。これにより、新たな構成情報の入手がユーザに促される。また図１９のウインドウには２つのスクロールウインドウが表示される。一つのスクロールウインドウには、構成情報が変化した全てのＮＯＤＥの名称が表示される。
【００７７】
図１９のExecボタンがクリックされると、上記スクロールウインドウに表示されたＮＯＤＥのそれぞれに対して、構成情報の読み取り手順が実行される。Quitボタンがクリックされると、構成情報の読み出しが中止され、図１９のウインドウがクローズされる。別のスクロールウインドウ（Console）には、構成情報をゲットしようとしてアクセスしたＮＯＤＥと、自装置（Ｕ−ＮＭＥ）との通信結果が表示される。
【００７８】
なお、通常では、構成情報が変化した旨がＮＯＤＥの側から通知されると、図１９のウインドウは自動的に表示（ポップアップ）される。ただし、何らかの原因により、構成情報が変化した旨を、ＮＯＤＥがＵ−ＮＭＥ３に通知できない場合が有る。このようなケースでは、図１９のウインドウをポップアップすることができない。そこで、NODE CONFボタンを用いて、Ｕ−ＮＭＥ３側からＮＯＤＥに積極的に情報を取りに行けるようにすることで、構成情報が変化したという情報をもれなく取得することが可能になる。
【００７９】
なお、数多くのＮＯＤＥが有ることから、NODE Alarm Summary Display(図１５)は複数が重ねて表示される場合が有る。開かれた図１５のウインドウの数が最大数に達している状態で、さらに追加のウインドウをオープンすべく操作がなされると、「同時起動数オーバーです。」の旨のCAUTIONウインドウが表示される。
【００８０】
［警報（アラーム）の発生状況の別の表示方法］
次に、警報（アラーム）の発生状況の別の表示方法について説明する。
【００８１】
図３においては、Station Aに何らかの障害が生じていることが示される。そこで、Station Aアイコンがマウスで左クリックされると、図１７のウインドウが表示される。このウインドウには、複数のノードアイコンが表示される。これらのノードアイコンのうち、＃２８のアイコンが、他と異なる表示色（ハッチング部分）で表示されている。
【００８２】
この＃２８アイコンがクリックされると、図１５のウインドウが開かれる。これ以降は、上記で説明したのと同様にして、障害の発生箇所が特定される。なお図１７のウインドウには、障害の状態をテキストで表示するためのスクロールウインドウが設けられる。
【００８３】
図１７のウインドウを設けることにより、図３のAlarm Summaryボタンから順に辿って行くのに比べて、図１６に至るまでの過程が短縮される。これにより、ユーザの手間が短縮される。
【００８４】
図３において、いずれかのステーションアイコンがマウスで右クリックされた場合に表示されるウインドウにつき説明する。図３において、例えばStation Aのアイコンが右クリックされると、図１８のSelectionウインドウが表示される。このウインドウは、クリックされたStation Aに属するＮＯＤＥを選択するためのウインドウである。
【００８５】
図１８のウインドウにおいて、NODE#28と示されている右横の下向き三角印がクリックされると、Station Aに属する全てのＮＯＤＥの名称（識別番号）が、プルダウンメニュー方式で表示される。このメニューから、例えばNODE #28が選択されると、図１５のウインドウが開かれる。このように、メニュー方式でノードを選択できるようにすることで、図１６にまで至る過程がさらに短縮される。
【００８６】
特に、図１８のSelectionウインドウは、どのノードに障害が発生しているかが予め分かっている場合に有効である。なお、上記メニューにおいて選択された対象は、メモリなどに記憶され、次回の選択処理の際に適用される。例えば、図３において、Station Aのアイコンがマウスの左ボタンでダブルクリックされると、画面の表示は、図３から直接図１５のウインドウ（前回選択されたウインドウ）に移る。このようにすることで、画面を辿って行く手間を更に省くことができる。また、最初のクリック操作に関しては、デフォルトで設定されたノードが選択される。
【００８７】
（HS APS Activate Summary Display）
次に、図３の主画面におけるHS APS Activate Summaryボタンがクリックされたときの機能につき説明する。このボタンがクリックされると、図２０のHS APS Activate Summary Displayウインドウが表示される。このウインドウは、複数のボタンが配列して表示されるもので、個々のボタンはそれぞれ一つのリングネットワークに対応している。ボタンに表示された＃１〜＃３２は、個々のリングネットワークの識別子を示す。
【００８８】
各ボタンは、それぞれ、対応するリングネットワークのHS APSの状態に応じて色分けして表示される。HS APSとは、高速回線ＯＬを流れるトラフィックを救済するための、自律的冗長切り替え機能（Automatic Protection Switching）を意味する。なお、図２０では、３２個のボタンが表示されている。このことは、図２０のウインドウを表示するＵ−ＮＭＥ３が、全てのリングネットワークを管理の対象にしていることを意味する。これに対し、一部のリングネットワークを管理の対象とするＵ−ＮＭＥ３では、管理対象とするリングネットワークに対応するボタンのみを図２０のウインドウに表示するようにする。
【００８９】
図２０のウインドウでは、HS APSが起動していないリングネットワークに対応するボタンを緑色（図中白抜き）で、HS APSが起動しているリングネットワークに対応するボタンを赤色（図中ハッチング）で示す。すなわち、図２０においては、＃０１、および＃３２のリングネットワークにHS APSが起動していることが示されている。なお、以下では、HS APSが起動している状態を（Active Status）、起動していない状態を（Normal Status）と称する。
【００９０】
また図２０のウインドウでは、ユーザによりHS APSの状態が確認されたか、否かでボタンの表示の形態を変えるようにしている。すなわち、図２０において、ユーザによってHS APSの状態が確認されたリングネットワークに対応するボタンは、点灯表示される。また、ユーザによってHS APSの状態が確認されていないリングネットワークに対応するボタンは、点滅表示される。図２０では、＃０１、および＃２５のボタンが点滅表示となっている。
【００９１】
なお、ユーザがHS APSの状態を確認するためには、図２６に示されるHS APS Detailed Displayウインドウ、または図９１に示されるPath Configuration Controlウインドウなどを利用する。これらのウインドウについては後述する。
【００９２】
以上をまとめると、図２０のウインドウにおけるボタンの状態には、赤色点滅（ａ）、緑色点滅（ｂ）、赤色点灯（ｃ）、緑色点灯（ｄ）の４つの状態がある。図２０においては、＃０１ボタンが（ａ）、＃２５ボタンが（ｂ）、＃３２ボタンが（ｃ）、その他のボタンが（ｄ）となっている。
【００９３】
従って、図２０おいては、リングネットワーク＃０１のHS APSの状態が、新たにActive Statusに遷移し、しかも、この状態がユーザによって確認されていないことが示される。また、リングネットワーク＃２５のHS APSの状態が、新たにNormal Statusに遷移し、しかも、この状態がユーザによって確認されていないことが示される。
【００９４】
また、図２０においては、リングネットワーク＃３２のHS APSの状態がActive Statusであり、この状態がユーザによって既に確認済みであることが示される。さらに、他のリングネットワークにおいては、HS APSが起動していないことが示される。
【００９５】
図２０のウインドウにおいて、＃０１または＃２５のボタンがクリックされると、Ｕ−ＮＭＥ３は、それぞれリングネットワーク＃０１または＃２５におけるHS APSの起動状態が確認されたと見なす。これにより、図２１に示されるように、＃０１ボタン、または＃２５ボタンが点滅から点灯表示に切り替えられる。
【００９６】
このような表示形態により、HS APSの起動状態が確認済みであるリングネットワークと、そうでないリングネットワークとの区別を、一つのウインドウ上で一目瞭然に確かめることができる。
【００９７】
なお、HS APS Activate Summary Displayウインドウは、HS APSの状態に応じて、リアルタイムに変化して表示される。例えば、ユーザによる確認の済んでいない状態で、HS APSで言うところの切戻し処理が実行された場合には、対応するボタンの表示が赤色点滅から緑色点滅へと変化される。言い換えれば、このウインドウにおける各ボタンの表示の状態は、対応するリングネットワークのHS APSの状態に、何らかの変化の有った時点で変化される。
【００９８】
さて、HS APS Activate Summary Displayウインドウ（図２０，図２１）において、各ボタンをどのように表示するかということは、図２２〜図２４に示される各テーブルを用いて管理される。これらのテーブルは、Ｕ−ＮＭＥ３のメモリモジュール３１またはハードディスク３５などに記憶される。
【００９９】
Ｕ−ＮＭＥ３は、HS APS Activate Summary Displayウインドウを開く際に、まずネットワークシステム内の全ての（あるいは自装置が管理の対象としている）ノードから、HS APSの起動状態をＧＥＴする。そして、Ｕ−ＮＭＥ３がノードから得た情報をもとに、図２２のテーブルが作成され、あるいは更新される。
【０１００】
図２２のテーブルは、HS APSのNormal Statusにフラグ“０”を、HS APSのActive Statusにフラグ“１”を対応付け、これらの０または１の状態をそれぞれ各ノード（ノード）ごとに対応付けたものである。なお、HS APSの起動状態には、各ノードごとにＷｅｓｔ側、Ｅａｓｔ側の区別がある。図２２のフラグは、それぞれのノードにおいて、Ｗｅｓｔ側またはＥａｓｔ側のいずれか一方でも起動した場合に“１”となる。
【０１０１】
なお図２２のテーブルは、図２０、図２２のウインドウがオープンされるときだけでなく、ノードからHS APSに関する通知情報が通知されたときにも随時更新される。要するに図２２のテーブルは、HS APSの状態に何らかの変化が生じた場合には、その都度更新される。
【０１０２】
次に、図２３に示されるテーブルにつき説明する。図２３のテーブルは、図２２のテーブルの内容を、個々のリングネットワークを単位としてまとめたものである。図２３のテーブルは、HS APSの起動状態を表す項目と、ユーザによる確認状況を表す項目とを有する。これらの項目のうち、HS APS起動状態は、３２個のリングネットワークのうちHS APSが起動しているネットワークと、HS APSが起動していないネットワークとを区別するためのものである。すなわち、図２２のテーブルでフラグ“１”の立ったノードが一つでも有れば、図２３において、そのノードが属するリングネットワークのHS APS起動状態のフラグは、“１”となる。図２２に示されるように、リングネットワーク＃０１、およびリングネットワーク＃３２のいずれにも、HS APSの起動したノードが有る。これに応じて、図２３のテーブルでは＃０１，＃３２の各リングネットワークのHS APS起動状態のフラグが“１”となっている。
【０１０３】
また、図２３には、確認状況を示す項目が有り、この項目にも各リングネットワークごとに０または１のフラグが付されている。確認状況項目においては、HS APSの状態が変化し、かつＵ−ＮＭＥ３においてユーザの確認操作の行なわれていないリングネットワークについてのみ、フラグ“１”が付される。その他のリングネットワークについては、確認済みを示すフラグ“０”がデフォルトで付される。ここで、HS APSの状態が確認されたリングネットワークについては、フラグが“１”から“０”にその都度書き替えられる。
【０１０４】
図２４に、HS APS Activate Summary Displayウインドウにおけるボタンの表示パターンの一覧が示される。すなわち、図２３のテーブルでHS APS Active Statusであるリングネットワークに対応するボタンは、HS APS Activate Summary Displayウインドウにおいて赤色で表示される。また、図２３のテーブルでHS APS Normal Statusであるリングネットワークに対応するボタンは、HS APS Activate Summary Displayウインドウにおいて緑色で表示される。さらに、いずれのステータス（状態）であっても、そのステータスが未確認のリングネットワークに対応するボタンは、点滅表示される。ステータスが確認済みのリングネットワークに対応するボタンは、点灯表示される。
【０１０５】
なお、ボタンの表示色は、緑または赤に限らず、任意に設定されることができる。ボタンの表示色は、図１３８に示されるDisplay Controlウインドウ、または図１３９に示されるColor Selectionウインドウ上で設定される。これらのウインドウについては後述する。
【０１０６】
HS APS Activate Summary Displayウインドウを用いたユーザの操作手順は、図２５のフローチャートに示される。図３のHS APS Activate Summaryボタンがクリックされると（図２５のステップＳＴ１）、図２０に示すHS APS Activate Summary Displayウインドウがオープンされる（ステップＳＴ２）。
【０１０７】
図２０においては、HS APSの起動状態に応じて、赤色点滅（ａ）、緑色点滅（ｂ）、赤色点灯（ｃ）、緑色点灯（ｄ）のいずれかの状態で各ボタンが表示される。図２０において、Ｒｅｄで点滅しているボタン、またはＧｒｅｅｎで点滅しているボタンについては、対応するリングネットワークの状態が確認されたのち、当該ボタンがクリックされることで、点滅表示が点灯表示となる（ステップＳＴ３およびＳＴ４）。なお、図２０のウインドウにおいては、点灯表示のボタンがクリックされても、表示の状態は変わらない。
【０１０８】
また、図２０のウインドウが表示されている状態で、いずれかのノードでHS APSが起動した場合には、HS APSが起動した旨をＵ−ＮＭＥ３が検知したウインドウの表示が更新される。このとき、図２２，図２３のテーブルの内容も更新される。
【０１０９】
APS Activate Summary Displayウインドウが開かれている場合には、上記ステップＳ１〜ステップＳ４が繰り返される。この状態からAPS Activate Summary Displayウインドウに表示された最小化ボタンがクリックされると（ステップＳＴ５）、このウインドウはクローズされる（ステップＳＴ６）。
【０１１０】
以上説明したように、APS Activate Summary Displayウインドウを設けることで、ユーザは、ネットワークシステム内のHS APSの起動状態を、一括して監視できるようになる。すなわち、ユーザはボタンの表示状態を参照することにより、どのリングネットワークでHS APSが起動しているか、またそのHS APSは、既に確認されているものなのか、あるいは未確認のものなのかを即座に判断することができる。
【０１１１】
（その他の表示方式）
図２０，図２１に示す各ボタンは、それぞれクリッカブルに設定されている。このことを利用して、以下に説明するような表示を行なうこともできる。すなわち、図２０，図２１に示されるボタンがクリックされると、クリックされたボタンに対応するリングネットワークのHS APSの状態を表示するウインドウに、直接ジャンプできるようにしても良い。ジャンプ先のウインドウとしては、図２６のHS APS Detailed Displayウインドウが挙げられる。または、図９１に示すPath Configuration Controlウインドウ（後述する）にジャンプするようにしても良い。
【０１１２】
図２６に示されるHS APS Detailed Displayウインドウは、図２０，２１のウインドウにおけるいずれかのボタンがクリックされたときに表示される。図２６のウインドウは、図２０，２１のウインドウにおいてクリックされたボタンに対応するリングネットワークにおけるHS APSの起動状態を、テキスト形式で詳細に表示するものである。
【０１１３】
図２６のウインドウには、Date Timeの欄に、イベント（ここではHS APS）が生じた時刻が記されている。またこのウインドウには、Ring Networkの欄に、リングネットワーク＃０１と記されており、リングネットワーク＃０１においてHS APSが生じたことがわかる。またこのウインドウには、Event Typeの欄に、HS APS Switch Reportingと記されている。これは、“HS APS Switch Reporting”という通知情報がＵ−ＮＭＥ３に通知されたことを示す。
【０１１４】
また図２６に示されるスクロールウインドウには、（Old）：HS APS Normal Status、および（New）：HS APS Active Statusと表記されている。これは、HS APSの状態がNormal Status（Old：旧い状態）からActive Status（New：新たな状態）に変化したことを意味する。
【０１１５】
（Ｌｏｇ  Ｃｏｎｔｒｏｌ）
次に、図３の主画面におけるLogボタンがクリックされたときの機能につき説明する。この章では、おもにログ（Ｌｏｇ）の管理に係わる機能についての説明がなされる。Ｌｏｇとは、ネットワークシステムの運用中に生じた様々な通知情報を蓄積した履歴を意味する。通知情報の多くは各ノード１−１〜１−ｎで生成され、ＳＳＥ２を経由してＵ−ＮＭＥ３に通知される。これらの通知情報は、ＳＳＥ２またはＵ−ＮＭＥ３における記憶手段に記憶される。このほか、ＳＳＥ２またはＵ−ＮＭＥ３において生成される通知情報もある。
【０１１６】
図３においてLogボタンがクリックされると、図２７に示すLog Controlウインドウが表示される。このウインドウには、Record Retrieval，U-NME Log Control，U-NME Log Deletion，NODE Log Control，Data Backup，Quitなるクリッカブルなボタンが表示される。
【０１１７】
図２７のウインドウにおいてRecord Retrievalボタンがクリックされると、図２８のRecord Retrievalウインドウが表示される。図２８のウインドウは、ＳＳＥ２またはＵ−ＮＭＥ３に記憶されたログを検索するために使用される。このウインドウには、ログの検索条件を設定するために、（Data Type）などの複数の項目が設けられている。
【０１１８】
Data Typeとは、ログデータの取得形式を指定する項目である。この項目では、ログデータをオンライン（Online）で取得するか、またはバックアップデータ（Backup）を読み出す形で取得するかの、いずれかの取得形式が指定される。オンラインが指定されると、ログデータはＵ−ＮＭＥ３内のデータベース（ＨＤ３５）に予め記憶されたデータから検索される。バックアップが指定されると、外部メディアに記憶されたログデータがＵ−ＮＭＥ３にロードされ、このロードされたデータからログデータが検索される。すなわち、バックアップが指定されると、ログデータはリストアされたデータから検索される。
【０１１９】
なお、図２８のウインドウでBackupが指定された場合、図２８のData Loadボタンがクリックされる。そうすると、図２９のData Loadウインドウが開かれ、このウインドウ上にて、データのロードを行う外部メディアとファイル名とが指定される。
【０１２０】
図２８において、Log Typeとは、検索するログの種別を指定するための項目である。Log Typeを指定するには、図に示される（NODE Alarm Log）〜（SSE Alarm Log）なる種別のうちいずれか一つが選択される。
【０１２１】
NODE Alarm Logとは、カード故障や伝送路障害など（いずれも各ノード１−１〜１−ｎで検出される）の通知情報の履歴である。
Object Creation/Deletion Logとは、各ノード１−１〜１−ｎにおけるカードの取り付け／取り外しに対応する通知情報の履歴である。
State Change Logとは、各ノード１−１〜１−ｎにおいて運用モードが切り替わった際に通知される通知情報の履歴である。運用モードの切り替えとは、例えば通常の運用モードから保守モード（メンテナンスモード）への切り替えなどがある。
【０１２２】
Protection Control Logとは、各ノード１−１〜１−ｎにおける現用系／予備系切り替え動作に係わる通知情報のログである。すなわち、ＳＤＨシステムにおけるノードには、一般にＡＰＳ（Automatic Protection Switching）と呼ばれる自律的冗長切り替え機能が備えられている。Protection Control Logとは、このＡＰＳに係わる通知情報のログである。なお、ＡＰＳに係わる詳細はＩＴＵ−Ｔ勧告Ｇ．８４１などに詳細に規定されている。
U-NME Access Logとは、Ｕ−ＮＭＥ３にユーザがアクセスした際に生じる情報のログである。このログには、ユーザがＵ−ＮＭＥ３にログイン／ログアウトした時刻、そのユーザの名前およびパスワードなどに関する情報が含まれる。
Security Alarm Logとは、Ｕ−ＮＭＥ３へのリモートアクセスに際して生じた警報に係わる通知情報のログである。すなわち、この発明のシステムでは、個々のＵ−ＮＭＥ３に搭載された機能に他のＵ−ＮＭＥ３からアクセスすることが可能となっている。しかしながら、この種のシステムでは、セキュリティ上の配慮から、アクセスできる機能が制限されているのが普通である。Security Alarm Logは、このアクセス規制された機能に対してアクセス要求が生じた際に生成される警報に係わるログである。SSE Alarm Logとは、ＳＳＥ２自身に警報が生じた際に生成される通知情報のログである。
【０１２３】
これらのログは、それぞれ野種別に応じて蓄積される場所が異なる。すなわち、U-NME Access Logはログイン／ログアウトされた各Ｕ−ＮＭＥ３自身に蓄積される。SSE Alarm Logは、通知情報の生成元であるＳＳＥ２が設置された局舎のＵ−ＮＭＥ３に蓄積される。
【０１２４】
U-NME Access Log、およびSSE Alarm Log以外のログは、それぞれ関係する通知情報の生成元がノードであり、これらの通知情報はＵ−ＮＭＥ３に通知される前にＳＳＥ２を経由する。したがって、U-NME Access Log、およびSSE Alarm Log以外のログの蓄積場所はＳＳＥ２となる。よって、図２８のウインドウでこれらのLog Typeが指定された場合には、ログはＳＳＥ２のデータベースから検索される。
【０１２５】
また図２８のウインドウには、Event Time（Start）、およびEvent Time（End）として、通知情報の生成時刻（より正確には、通知情報に関するイベントの生じた時刻）を指定する欄が設けられている。この欄では、指定すべき時刻範囲を年、月、日、時、分、秒に区切って指定できるようになっている。
【０１２６】
図２８において、Data Type、Log Type、Event Time（Start）、Event Time（End）の各項目が指定されたのちExecボタンがクリックされると、この指定内容に応じた検索が実行される。そして、Log Typeでの指定に対応して、図３０、図３５、図３８、図４１、図４４、図４７、図５０に示すRecord Retrieval Reportウインドウが表示される。すなわち、図２８におけるLog TypeでNODE Alarm Logが指定されると図３０のウインドウが表示される。図２８におけるLog TypeでObject Creation/Deletion Logが指定されると、図３５のウインドウが表示される。図２８におけるLog TypeでState Change Logが指定されると、図３８のウインドウが表示される。図２８におけるLog TypeでProtection Control Logが指定されると、図４１のウインドウが表示される。図２８におけるLog TypeでU-NME Access Logが指定されると、図４４のウインドウが表示される。図２８におけるLog TypeでSecurity Alarm Logが指定されると、図４７のウインドウが表示される。図２８におけるLog TypeでSSE Alarm Logが指定されると、図５０のウインドウが表示される。
【０１２７】
図３０に示されるウインドウにつき説明する。図３０のウインドウには、警報（アラーム）に関連して履歴から検索された通知情報が、テキスト形式で表示領域に一覧表示される。このウインドウは、履歴として種々のメディアに蓄積された通知情報に対する検索結果を表示する点で、図６のウインドウと異なっている。図６のウインドウには、Ｕ−ＮＭＥ３において取得された通知情報がリアルタイムで表示される。これに対して図３０のウインドウでは、あくまでもデータログからの検索結果が表示される。図３５、図３８、図４１、図４４、図４７、図５０の各ウインドウについても同様である。
【０１２８】
さて、図３０のウインドウには、“Filter”、“Item Selection”、“CSV”、“Print”、“Quit”として示される機能ボタンが設けられている。
このうちFilterボタンがクリックされると、図３１のNODE Alarm Record Retrieval Filterウインドウが表示される。このウインドウは、図３０に示す検索結果をさらに絞り込む（フィルタリング）ための、フィルタ条件を設定するためのウインドウである。このウインドウにおける指定内容は図７とほぼ同じであるが、図３１のウインドウでは、各スクロールウインドウで指定された条件がＡＮＤ条件で結ばれる。
【０１２９】
なお、図３１において、各スクロールウインドウどとに複数の項目を指定できるようにしても良い。この場合、複数の項目が指定されると、これらの項目をＯＲ条件で結ぶようにしても良い。
【０１３０】
また、図３１のウインドウには、アラームを特徴づける属性としてのEvent Type、Probable Cause、Severity、Specific Problemsなる欄が設けられている。図示された各項目が選択されたのちExecボタンがクリックされると、指定された条件で絞り込まれた結果が図３０に再表示される。
【０１３１】
図３０において、Item Selectionボタンがクリックされると、図３２のNODE Alarm Record Retrieval Item Selectionウインドウが表示される。このウインドウは、図３０の項目領域に示される項目を絞り込むために使用されるウインドウである。図３２において、各アイテムのチェックボックスが任意にチェックされて実行（Execボタンをクリック）されると、図３０におけるログデータの属性を絞り込み表示することができる。図３２の各項目は、図８におけるCommon ItemとAlarm Notificationに対応している。なお、図３２に示されるアイテムとしてMemoがある（図３２では右下）。このMemoアイテムは、通知情報のそれぞれに任意に付されたメモデータを示すもので、詳細は後述する。
【０１３２】
図３０においてCSVボタンがクリックされると、図３３のCSV Format Convertウインドウが表示される。このウインドウは、図３０に示される検索結果を、ＣＳＶ（Comma Separated Value）フォーマットで保存するためのウインドウである。ＣＳＶフォーマットは、パソコン用のアプリケーションソフトなどで良く知られているものである。
【０１３３】
図３３のウインドウには、図３０の検索結果に対応するログタイプと、その開始時刻及び終了時刻が、Log、Date/Time(Start)、Date/Time(End)の欄にそれぞれ表示される。図３３のウインドウでFD Readボタンがクリックされると、図２のＦＤＤ３１０に保存されているファイルの名称が、図３３のSaved Filesの欄に表示される。ユーザは、この欄に表示されたファイルネームに注意して、File Nameの欄に保存ファイル名を打ち込んだのち、Execをクリックする。そうすると、図３０に示される検索結果が、フィルタ条件および表示アイテム条件に拘わらず、ＣＳＶフォーマットでＦＤＤ３１０に保存される。
【０１３４】
このようにすることで、検索結果を電子ファイルとして保存できるようになる。また、この保存されたファイルを汎用のアプリケーションソフトでも利用することが可能となるので、ユーザの利便性を向上させることが可能になる。なお、図３３のウインドウで、ＦＤＤ３１０に既存のファイル名が入力された場合、「このファイル名は既に存在しています。上書き保存しますか？」の旨を示すCAUTIONウインドウが表示され、ユーザに適切な操作が促される。
【０１３５】
図３０においてPrintがクリックされると、図３０に示される検索結果が図２のプリンタ３１８でプリントアウトされる。また、図３０のQuitボタンは、設定の取り消しを意味する。
【０１３６】
図３０において、表示領域における特定のラインが選択されクリックされると、図３４のMemo Data Inputウインドウが表示される。このウインドウは、図３０で選択された通知情報について、メモデータを入力するために使用される。図３４のウインドウでMemoの欄にコメントが入力されると、このコメントが上記クリックされた通知情報に付加される。メモデータとは、気づいた点などをユーザがコメント的に記述するもので、その内容は問われない。メモデータは、障害を追跡するためなどに利用される。
【０１３７】
次に、図３５に示されるウインドウにつき説明する。図３５のウインドウは、図２８におけるLog TypeでObject Creation/Deletion Logが指定された場合に表示される。図３５のウインドウにおいては、Object Creation/Deletionに関連して履歴から検索された通知情報が、テキスト形式で表示領域に一覧表示される。
【０１３８】
図３５のウインドウ上でFilterボタンがクリックされると、図３６のObject Creation/Deletion Record Retrieval Filterウインドウが表示される。図３６のウインドウは、Event TypeとしてCreationまたはDeletionを指定するためのチェック項目を備えている。これらのチェック項目は、それぞれノードにおけるカードの挿入／取り外しに対応する。図３６のウインドウ上で各項目が選択されたのちExecボタンがクリックされると、選択された内容に応じたLogが検索されて、その結果が図３５のウインドウに表示される。
【０１３９】
図３５のウインドウでItem Selectionがクリックされると、図３７のObject Creation/Deletion Record Retrieval Item Selectionウインドウが表示される。図３７のウインドウ上で任意の項目が選択されたのちExecボタンがクリックされると、このウインドウ上で選択された項目が図３５のウインドウにおける表示に反映される。
【０１４０】
次に、図３８に示されるウインドウにつき説明する。図３８のウインドウは、図２８におけるLog TypeでState Change Logが指定された場合に表示される。図３８のウインドウにおいては、State Changeに関連して履歴から検索された通知情報がテキスト形式で表示領域に一覧表示される。このウインドウでFilterボタンがクリックされると、図３９のState Change Record Retrieval Filterウインドウが表示される。図３９のウインドウ上で各項目が選択されたのちExecボタンがクリックされると、選択された内容に応じたLogが検索されて、その結果が図３８のウインドウに表示される。
【０１４１】
図３８のウインドウでItem Selectionがクリックされると、図４０のState Change Record Retrieval Item Selectionウインドウが表示される。図４０のウインドウ上で任意の項目が選択されたのちExecボタンがクリックされると、このウインドウ上で選択された項目が図３８のウインドウにおける表示に反映される。
【０１４２】
次に、図４１に示されるウインドウにつき説明する。図４１のウインドウは、図２８におけるLog TypeでProtection Control Logが指定された場合に表示される。図４１のウインドウにおいては、Protection Controlに関連して履歴から検索された通知情報が、テキスト形式で表示領域に一覧表示される。
【０１４３】
図４１のウインドウでFilterボタンがクリックされると、図４２のProtection Control Record Retrieval Filterウインドウが表示される。図４２のウインドウは、Protecting UnitとしてHS、Equipment、またはLSを指定するチェック項目を備えている。HS項目は、高速ライン（伝送路）系切り替えに対応する。Equipmentは、装置内切り替えに対応する。LSは、低速ライン系切り替えに対応する。図４２のウインドウ上で各項目が選択されたのちExecボタンがクリックされると、選択された内容に応じたLogが検索されて、その結果が図４１のウインドウに表示される。
【０１４４】
図４１のウインドウでItem Selectionがクリックされると、図４３のProtection Control Record Retrieval Item Selectionウインドウが表示される。図４３のウインドウ上で任意の項目が選択されたのちExecボタンがクリックされると、このウインドウ上で選択された項目が図４１のウインドウにおける表示に反映される。
【０１４５】
次に、図４４に示されるウインドウにつき説明する。図４４のウインドウは、図２８におけるLog TypeでU-NME Access Logが指定された場合に表示される。図４４のウインドウにおいては、U-NME Accessに関連して履歴から検索された通知情報がテキスト形式で表示領域に一覧表示される。このウインドウでFilterボタンがクリックされると、図４５のU-NME Access Record Retrieval Filterウインドウが表示される。図４５のウインドウで任意のユーザ名（User Name）が選択されてExecボタンがクリックされると、選択されたユーザが何時から（START）何時まで（END）Ｕ−ＮＭＥ３にアクセスしていたかが、図４４のウインドウに表示される。
【０１４６】
図４４のウインドウでItem Selectionがクリックされると、図４６のU-NME Access Control Record Retrieval Item Selectionウインドウが表示される。図４６のウインドウに示される各チェック項目は、U-NME Accessの性質を反映しており、User Nameが特徴的である。図４６のウインドウ上で任意の項目が選択されたのちExecボタンがクリックされると、図４６のウインドウ上で選択された項目が図４４のウインドウにおける表示に反映される。
【０１４７】
次に、図４７に示されるウインドウにつき説明する。図４７のウインドウは、図２８におけるLog TypeでSecurity Alarm Logが指定された場合に表示される。図４７のウインドウにおいては、Security Alarmに関連して履歴から検索された通知情報が、テキスト形式で一覧表示される。
【０１４８】
図４７のウインドウでFilterボタンがクリックされると、図４８のSecurity Alarm Record Retrieval Filterウインドウが表示される。このウインドウにはSecurity Alarm Causeなる欄が備えられ、Security Alarmの生じた原因を指定できるようになっている。図４８のウインドウ上で各項目が選択されたのちExecボタンがクリックされると、選択された内容に応じたLogが検索されて、その結果が図４７のウインドウに表示される。
【０１４９】
図４７のウインドウでItem Selectionがクリックされると、図４９のSecurity Alarm Control Record Retrieval Item Selectionウインドウが表示される。このウインドウにおける各チェック項目は、Security Alarmの性質を反映している。図４９のウインドウには、Managed Object、Security Alarm Cause、Security Alarm Severity、Security Alarm Detector、Service User、Service Providerなる項目が設けられており、これらの項目が特徴的である。図４９のウインドウ上で任意の項目が選択されたのちExecボタンがクリックされると、このウインドウ上で選択された項目が図４１のウインドウにおける表示に反映される。
【０１５０】
次に、図５０に示されるウインドウにつき説明する。図５０のウインドウは、図２８におけるLog TypeでSSE Alarm Logが指定された場合に表示される。図５０のウインドウにおいては、SSE Alarmに関連して履歴から検索された通知情報がテキスト形式で一覧表示される。このウインドウでFilterボタンがクリックされると、図５１のSSE Alarm Record Retrieval Filterウインドウが表示される。
【０１５１】
図５１のウインドウは、ＳＳＥ２が指定される欄と、Event TypeがCommunicationsまたはEquipmentのいずれかに指定される欄と、Probable Causeが選択される欄と、Severity（アラームの重要度）が、Critical、Major、Minor、Warningのいずれかに指定される欄とを備えている。図５１のウインドウ上で各項目が選択されたのちExecボタンがクリックされると、選択された内容に応じたLogが検索されて、その結果が図５０のウインドウに表示される。
【０１５２】
図５０のウインドウでItem Selectionがクリックされると、図５２のSSE Alarm Control Record Retrieval Item Selectionウインドウが表示される。図５２のウインドウ上で任意の項目が選択されたのちExecボタンがクリックされると、このウインドウ上で選択された項目が図５０のウインドウにおける表示に反映される。
【０１５３】
なお、図３５、図３８、図４１、図４４、図４７、図５０に示す各ウインドウに示されるCSVボタン、Printボタン、Quitボタンの各機能は図３０と同じであるので説明を省略する。
【０１５４】
次に、図５３に示されるU-NME Log Controlウインドウにつき説明する。このウインドウは、図２７に示されるU-NME Log Controlボタンがクリックされると開かれる。図５３に示されるウインドウは、Ｕ−ＮＭＥ３に蓄積されるログ（U-NME Access LogとSSE Alarm Log）にデータが書き込まれる際の条件を設定するためのウインドウである。
【０１５５】
図５３に示されるウインドウにおいては、U-NME Access Log、及びSSE Alarm Logなる２種のログタイプに対し、“Logging”、“Log Full Action”、“Max Log Records”、“Capacity Alarm Threshold”なる設定項目が設けられている。これらの設定項目の現在の設定状態は、図５３ではウインドウの上側に表示されている。図５３のウインドウの下側に、これらの設定項目を任意に設定するための欄が設けられている。
【０１５６】
設定項目のうち、Loggingでは、ログに対する書込みを許可するか、許可しないかが設定される。Allowがチェックされると、ログへの書込みが許可される。Inhibitがチェックされると、ログへの書込みは許可されない。Log Full Actionでは、各ログタイプに割り当てられたデータエリア（記憶リソースエリア）が一杯になった場合の処理が選択される。Wrapが選択されると、データエリアへのデータの上書きが許可される。Haltが選択されると、データエリアへのデータの上書きが許可されない。
【０１５７】
Max Log Recordsでは、各ログタイプに割り当てられるデータエリアが、通知情報の数で指定される。図５３においては、通知情報の数が１個から１００００００個の範囲で任意に設定できるようになっている。Capacity Alarm Thresholdでは、データエリアの容量が一杯に近づいた場合に発せられるアラームの閾値が設定される。図５３においては、Capacity Alarm Thresholdの値を０％から１００％の範囲で設定できるようになっている。例えば、Capacity Alarm Thresholdが８０％に設定されると、データエリアの８０％がログで埋まった場合に、アラームが発せられる。これにより、ユーザにデータのバックアップなどの操作が促される。
【０１５８】
次に、図５４に示されるU-NME Log Deletionウインドウにつき説明する。このウインドウは、図２７のU-NME Log Deletionボタンがクリックされると開かれるウインドウであり、Ｕ−ＮＭＥ３に記憶されているログデータを消去する条件を設定するためのウインドウである。
【０１５９】
図５４のウインドウにおいては、U-NME Access Log、及びSSE Alarm Logなる２種のログタイプに対し、“Max Log Records”、“Number of Records”、“Current Log Usage rate”、“Capacity Alarm Threshold”なる設定項目が設けられている。これらの設定項目の現在の設定状態は、図５４ではウインドウの上側に表示されている。図５４のウインドウの下側に、これらの設定項目を任意に設定するための欄が設けられている。
【０１６０】
図５４のウインドウにおいては、消去すべきログが、Date/Time （Start）からDate/Time（End）までの時間で指定される。特に、図５４のウインドウには、Condition Setなる項目が設けられている。この項目は、上記指定された時間範囲に加えて、さらに別の条件を指定するか否かを選択するために設けられている。この項目においてYesがチェックされると、図５５に示されるU-NME Log Deletion Conditionウインドウが表示される。
【０１６１】
図５５に示されるウインドウは、ログを消去する際の条件を設定するためのウインドウである。このウインドウにおいて、SSEと表記されたスクロールウインドウでは、消去すべきログを蓄積しているＳＳＥ２が指定される。図５５のウインドウにおいて、Event Type項目ではCommunicationsまたはEquipmentのいずれかがチェックされることにより消去すべきEvent Typeが指定される。図５５のウインドウにおけるUser Nameと記されたスクロールウインドウでは、ユーザネームが指定される。これらの各項目が指定されたのちExecボタンがクリックされると、上記各項目で指定された条件に応じたログデータが消去される。
【０１６２】
なお、図５５のウインドウでExecボタンがクリックされると、CAUTIONウインドウが表示されて、ユーザにデータ消去の可否が問われるようになっている。
【０１６３】
次に、図５６に示されるNODE Log Controlウインドウにつき説明する。このウインドウは、図２７のNODE Log Controlボタンがクリックされると開かれるウインドウであり、各ＮＯＤＥにおいて蓄積されているログを操作するためのウインドウである。
【０１６４】
図に示すように、ＮＯＤＥのデータベースには、Alarm、Object Creation/Deletion、State Change、Protection Control、及び、Security Alarmなる複数の項目のログが蓄積される。
【０１６５】
図５６のウインドウにおいては、データベースにおいて蓄積のため割り当てられる記憶リソースのサイズの最大値が、各項目ごとに設定される。図５６において、ＮＯＤＥボタンがクリックされると図５７のNODE Selectionウインドウが開かれる。図５７のウインドウでは、ここからネットワークシステム内の任意のＮＯＤＥが選択される。図５７において、Station/Ring Networkでは、All、Station、または、Ring Networkなる項目のいずれかが選択される。
【０１６６】
図５７において、ALLが選択されると、全てのＮＯＤＥが設定対象となる。Ring Networkが選択されると、いずれかのRing Networkを選択するためのプルダウンメニューが操作可能となり、ここから任意のRing Networkが選択され、次いでここで選択されたRing Networkに属するいずれかのＮＯＤＥがプルダウンメニューで選択される。Stationが選択された場合も同様の手順で、任意のＮＯＤＥが選択される。このようにして、図５７のウインドウ上でいずれかのＮＯＤＥが選択されてExecボタンがクリックされると、図５６のウインドウに戻る。このとき、操作対象とするＮＯＤＥが図５６のウインドウにセットされた状態となる。
【０１６７】
図５７のウインドウから図５６のウインドウに戻ると、まず、それぞれの項目におけるログの最大最大サイズが対象ＮＯＤＥから読み出される。読み出された結果は、図５６におけるCurrent Max Log Size欄に表示される。次いで、図５６のウインドウ上で、ユーザにより個々の項目（Alarm〜Security Alarm）ごとに、その最大ログサイズ（Max Log Size）がセットされる。このようにして、各ＮＯＤＥにおける各ログ項目の最大サイズが設定される。
【０１６８】
図５６のウインドウによれば、各ログ項目ごとに、記憶リソースの最大容量を個別に設定することが可能になる。これにより、例えばイベントの発生頻度に応じて記憶リソースの最大容量を割り当てるといった設定が可能になる。例えば、Creation/Deletionなるイベントは他に比べて起こり得る数が少ないので、割り当てログサイズを小さくするようにする。その代わり、発生頻度が比較的高いAlarmについては、多くの記憶リソースを確保するようにすると良い。このようにすることで、装置の記憶リソースを有効に活用できるなどの利点がある。
【０１６９】
なお、図５６のウインドウを用いた設定の際には、事前に蓄積されていたログはすべて消去される。このため、図５６でExecボタンがクリックされると、「ログ記録がすべて消去されます。よろしければＯＫボタンを、中止するならＣａｎｃｅｌボタンをクリックして下さい。」の旨が記された警告ウインドウが表示され、ユーザに注意が促される。
【０１７０】
次に、図５８に示されるData Backupウインドウにつき説明する、このウインドウは、図２７のData Backupボタンがクリックされると開かれるウインドウであり、データをＣＭＴ３６にバックアップするために使用される。図５８のウインドウ上でCMT Readボタンがクリックされると、Saved Filesと記されたスクロールウインドウに、現在ＣＭＴ３６に記憶されているファイル名が表示される。
【０１７１】
図５８でBackupボタンがクリックされると、図５９のBackupウインドウが表示される。図５９では、LogでU-NME Access LogとSSE Alarm Logのいずれかが指定されたのち、バックアップすべきログ種別が選択される。また図５９のウインドウでは、バックアップすべきログの時間範囲が指定される。さらに、このウインドウでファイル名が入力されたのちExecボタンがクリックされると、ＣＭＴ３６にデータがバックアップされる。
【０１７２】
また、図５８でFormatボタンがクリックされると、「このＣＭＴに記録されているバックアップファイルはすべて消去されます。フォーマットを実行してよろしければＯＫボタンを、キャンセルするならばＣａｎｃｅｌボタンをクリックして下さい。」の旨を記したCAUTIONウインドウが表示される。このようにしてユーザに注意が促されたのち、ＯＫであればＣＭＴ３６のフォーマットが実行される。
【０１７３】
（Ｐｅｒｆｏｒｍａｎｃｅ  Ｃｏｎｔｒｏｌ）
次に、図３の主画面におけるPerformanceボタンがクリックされたときの機能につき説明する。Performanceボタンがクリックされると、図６０のPerformance Controlウインドウが表示される。このウインドウは、ネットワークパフォーマンスの管理に係わる機能をメニュー表示するものである。このウインドウには、“Performance Data Record Retrieval”、“Daily/Monthly/Annual Report Print”、“Quality of Service Alarm Control”と表示された機能ボタンが備えられている。
【０１７４】
図６０においてPerformance Data Record Retrievalボタンがクリックされると、図６１のPerformance Data Record Retrievalウインドウが表示される。図６１のウインドウは、Ｕ−ＮＭＥ３内のデータベース、またはＣＭＴ３６内のファイルからネットワークシステムに係わる品質ログを検索するために使用される。図６１のウインドウで指定される検索条件には、日時を含む時刻範囲のほか、Performance Condition１〜４として指定されるものがある。Performance Condition１〜４は、Ring Network/Station、NODE、Channel、Operation Mode、Monitoring Section、Performance Eventなる指定項目で特徴づけられる。
【０１７５】
図６１のウインドウは、図２８のRecord Retrievalウインドウと似ている。しかしながら、図６１のウインドウは、品質情報（パフォーマンス情報）の検索に特化しているという点で、図２８のウインドウと異なっている。図６１のウインドウにおいては、Data Typeは図２８と同様にして指定される。Backupが指定されると、図６３のData Loadウインドウが開かれる。図６３のウインドウでロードするファイル名などが指定されると、Ｕ−ＮＭＥ３内部のデータベースに所望のデータが読み込まれる。
【０１７６】
次に、図６１において、読み込みを行うべきデータの時刻範囲（年／月／日／時／分／秒）が指定されたのち、Performance Condition１〜４として、最大で４つの検索条件が指定される。Performance Condition１〜４の横に表示された小ウインドウ内のいずれかの領域（Performance Condition１〜４に対応）がクリックされると、図６２のPerformance Data Record Retrieval Conditionウインドウが開かれる。図６２のウインドウにおいて、パフォーマンスデータの詳細な検索条件が指定される。
【０１７７】
図６１において、Performance Condition１がクリックされると、Performance Conditionの欄に１が表示された図６２のウインドウが開かれる。図６２のウインドウでは、Station/Ring NetworkおよびNODEの欄で、検索対象のノードが指定される。これらの欄はプルダウンメニュー形式で表示され、選択されたリングネットワークに応じて、NODE欄で選択可能なNODEが変化する。
【０１７８】
図６２において、Channelの欄では、ＬＳ（低速側）またはＨＳ（高速側）のいずれかのチャネルが選択される。Operation Modeの欄では、SRV（サービス系）またはPRT（待機系）のいずれかが選択される。Monitoring Sectionの欄では、R-Section（Regenerator Section）またはM-Section（Multiplexer Section）、あるいはその両方（すなわち全セクション）が指定（チェック）される。ここでの指定は、ＳＤＨフレームのＳＯＨ（Section Over Head）内のタイムスロットを指定することに対応する。すなわち、ＳＯＨ内のタイムスロットのそれぞれに対応付けて、如何なる情報を記述するかが予め規定されており、R-Sectionに係わるデータ、またはM-Sectionに係わるデータが記述される場所がある。品質情報は、それぞれのセクションに対応付けて、区別された状態で収集される。したがって、図６２のウインドウ上で指定された内容により検索されるデータの範囲が異なる。
【０１７９】
図６２のPerformance Eventでは、検索すべき品質情報の種別が指定される。品質情報としては、図７４に示すように、ＴＣＣＶ（Total Count of Code Violation）、ＢＢＥ（Background Block Error）、ＥＳ（Errored Second）、ＳＥＳ（Severely Errored Seconds）、ＵＡＳ（Unavailable Seconds）、ＯＦＳ（Out of Frame Second）、ＰＪＣ（Pointer Justification Count）、ＰＳＣ（Protection Switch Count）、ＰＳＤ（Protection Switch Duration）などがある。
【０１８０】
図６２のウインドウで上記各項目が指定されたのちExecボタンがクリックされると、再び図６１に戻り、設定された内容が表示される。このようにして、各Performance Conditionが設定される。図６１のウインドウでは、必要に応じて一つのコンディションだけが指定されても良いし、または、最大４つまでのコンディションを独立に設定できる。
【０１８１】
図６１での設定が完了した状態でExecボタンがクリックされると、データベースが検索され、その結果が図６４〜図６６に示すごとく表示される。図６４〜図６６は、Performance Data Record Retrieval Report（Graph）ウインドウと称され、品質情報の検索の結果がグラフ形式で表示されるものである。図６１のウインドウで指定されたPerformance Conditionの数に応じた数のグラフが、図６４（一つ）、図６５（二つ）、図６６（三つ）のように、一つのウインドウの中に表示される。図６４〜６６においては、四角囲みの数字でPerformance Conditionが区別される。
【０１８２】
代表的な例として、図６４のグラフにつき説明する。図６５、図６６のグラフについても同様である。図６４のグラフでは、指定されたPerformance Conditionの内容がテキスト文で表示される。ここでは、検索の対象とされたイベントとしてＢＢＥ（Background Block Error）が表示されている。
【０１８３】
グラフが表示される欄には、縦軸をＢＢＥＲ（ＢＢＥの発生率）のカウント値（Count）、横軸を日付（Day）としたグラフが表示される。すなわち、１０月９日から１１月１０日までに観測されたＢＢＥＲの日毎の回数が、R-Section（実線）とM-Section（点線）とにつき並べて表示される。
【０１８４】
図６４のウインドウには、右下に“Auto Scale”および“Scale Set”なるボタンが設けられている。Auto Scaleボタンがクリックされると、カウントの最大値が縦軸の長さのほぼ８０％となるように、縦軸のスケールが自動的に変えられる。Scale Setボタンがクリックされると、図６７のScale Settingウインドウが表示され、図６７のウインドウ上にて縦軸の最大値と最小値がセットされる。このようにすると、カウント値のばらつきが大きい場合などにグラフを見やすくできる。
【０１８５】
さらに図６４のウインドウには、グラフ中を左右に移動して表示できるマーカーが表示されている。このマーカーは縦の線として示され、図６４中のCountボタンがクリックされることにより、横軸上の日付ごとに左右に動かすことができる。マーカが立っている日付に応じたカウント値が、グラフのすぐ上の欄に（BEER：R-Section  M-Section）数値で表示される。マーカが動くとこの数値も変わる。これは、カウント値が大きい場合に有効で、例えば９９なるカウント値は、、縦軸のスケールのとりによっては１００カウントと見分けがつかない。そこで、このマーカーを利用することで、検索されたカウント値を正確に把握することが可能となる。
【０１８６】
また図６４のウインドウには、“Table”なる機能ボタンが設けられている。このTableボタンがクリックされると、図６８のPerformance Data Record Retrieval Report（Table）ウインドウが表示される。図６８のウインドウには、品質情報の検索の結果がテーブル形式で表示される。すなわち、図６８のウインドウには、図６４〜６６のグラフに示された内容がテキストデータで表示される。
【０１８７】
図６８のウインドウでは、各時刻のイベントごとに、メモデータが付記されることが可能である。図６８のウインドウにおいて、メモデータの表記欄が任意にクリックされると、図６９のMemo Data Inputウインドウが表示される。図６９のウインドウを用いて、メモデータが入力される。
【０１８８】
図６８のウインドウには、元となるグラフが表示されるウインドウに戻るためのGraphボタンが設けられている。このGraphボタンと、図６４〜図６６のウインドウ内のTableボタンとがそれぞれクリックされることにより、品質データのグラフ表示とテーブル表示とを互いに行き来することができる。なお、Graphボタンは必要に応じて設ければよい。
【０１８９】
図６８ウインドウにはCSVボタンが設けられ、このボタンがクリックされると図７０のCSV Format Convertウインドウが表示される。図７０のウインドウは、品質情報についての検索結果をＣＳＶフォーマットでＦＤＤ３１０などに記録するための設定を行うためのもので、その操作手順は図３３と同様である。この図７０のウインドウによっても、検索結果を電子ファイルとして保存でき、便利である。また、図６８のウインドウにはPrintボタンが設けられ、このボタンがクリックされることで検索の結果をプリントアウトできるようになっている。
【０１９０】
さらに、図６８では、サスペクトフラグが付与された品質情報には、アスタリスク（＊）が表示される。サスペクトフラグとは、信頼性が低いと思われる品質情報に付与される属性である。品質情報の信頼性が低くなる原因としては、例えば次のようなものがある。
【０１９１】
すなわち、品質情報は、伝送路の状態の計測結果などをもとに、各ＮＯＤＥにおいて所定の周期で生成される。しかしながら、ＮＯＤＥの立ち上げ直後やＮＯＤＥの動作時刻が再設定された場合には、伝送路状態の計測時間が通常より短くなることがある。このようなことが起こり得るため、各ＮＯＤＥにおいては、Ｕ−ＮＭＥ３に送出する品質情報に対してＮＯＤＥ自身の判断のもとにサスペクトフラグが付与され、品質情報の信頼性に注意を促すようにしている。なお、サスペクトフラグに関する詳細は例えばＩＴＵ−Ｔ勧告Ｇ．８２２に記載されている。
【０１９２】
サスペクトフラグが付された品質情報とともにアスタリスクを表示することで、ユーザの判断の助けになるし、また、図６９のメモ入力機能を有効に使用することが可能になる。サスペクトフラグの立った原因をユーザがメモしておき、他のユーザへの便宜を図るなどの利用法がある。なお、サスペクトフラグを示す記号はアスタリスクに限らず、“！”や“？”などでも良い。
【０１９３】
次に、図７１に示されるDaily/Monthly/Annual Report Printウインドウにつき説明する。このウインドウは、図６０のPerformance ControlウインドウでDaily/Monthly/Annual Report Printボタンがクリックされると開かれるウインドウである。このウインドウは、品質情報に関係する日報、月報、または年報をプリントアウトするために使用される。
【０１９４】
図７１のウインドウでは、まずReportの欄でDaily（日報）、Monthly（月報）またはAnnual（年報）のいずれかが選択される。また、Station/Ring Network、NODE、Channel、Operation Mode、Monitoring Section、及び、Dateの欄は例えば図６２に倣ってそれぞれ指定される。各項目が指定されたのちExecボタンがクリックされると、指定された条件に応じた品質情報の検索結果が、プリントアウトやモニタ表示などのかたちで図７４に示すように出力される。図７４は品質情報の日報の一例を示す図である。このウインドウには、PREVIOUSボタン（前ページ）およびNEXTボタン（次ページ）が設けられており、出力すべき結果が複数のページに渡る場合に備えられている。
【０１９５】
図６１に示されるウインドウでは、検索条件が時間を単位として指定される。これに対して図７１のウインドウでは、検索条件の設定の単位を日単位、月単位、年単位と指定することができるので、ユーザへの便宜をさらに向上させることが可能になる。
【０１９６】
次に、図７２に示されるQuality of Service Alarm Controlウインドウにつき説明する。このウインドウは、図６０のQuality of Service Alarm Controlボタンがクリックされると開かれる。本システムにおいては、各ＮＯＤＥで計測される品質情報が、例えば過度の品質低下を示した場合には、その旨を示す警報を各ＮＯＤＥから通知させるようにしている。図７２のウインドウは、この種の警報情報を生成する際の条件を設定するためのウインドウである。このウインドウで設定された条件は、対象となるＮＯＤＥに通知される。通知を受けたＮＯＤＥは、この条件に沿って動作する。
【０１９７】
図７２で左上のNODE/Channel/Selectionボタンがクリックされると、図７３のNODE/Channel/Section Selectionウインドウが表示される。図７３のウインドウにおいて、どのリングネットワークの、どのノードの、どのチャネルの、どのセクションについての品質情報を対象とするかが、図７１のウインドウを用いた操作に倣って設定される。そうすると、図７２の“：”を挟んで右に、設定された内容が表示される。次いで、図７２のウインドウで品質情報（Event）のそれぞれ（TCCV〜OFS）ごとに、詳細な内容が設定される。
【０１９８】
例えばTCCVにつきウインドウがクリックされると、ウインドウ下部の設定項目が機能し、TCCVに関するOperation Mode、Notify、Severity、及び、Thresholdについての状態が設定される。Operation Modeでは、SRV、PRT、P/T（パートタイム）のいずれかが選択する。なお、ChannelでHSが選択された場合には、P/Tは選択肢に含まれない。
【０１９９】
次に、NotifyでOnまたはOffが選択されることにより、Ｕ−ＮＭＥ３への警報の通知または非通知が設定される。Severityでは、Critical、Major、Minor、または、Warningのいずれかが選択されて、Ｕ−ＮＭＥ３に通知される警報のランク付けが設定される。Thresholdでは、通知を行うに際しての閾値が、数値入力により設定される。
【０２００】
これらの各項目が各Eventごとに設定されたのちExecボタンがクリックされると、対象とするＮＯＤＥに設定内容が通知される。この通知を受けたＮＯＤＥは、上記設定内容に沿って警報の通知を行う。以上で説明した機能により、通信品質の管理を行う際の便宜を向上できる。
【０２０１】
（Ａｌａｒｍ  Ｃｏｎｔｒｏｌ）
次に、図３の主画面におけるAlarmボタンがクリックされたときの機能につき説明する。Alarmボタンがクリックされると、図７５のAlarm Controlウインドウが表示される。このウインドウは警報の管理に係わる機能をメニュー表示するものである。このウインドウには、“Alarm Severity Control”、“Maintenance Control”、“Maintenance Signal Insertion Control”、“SD Threshold Control”と表示された機能ボタンが備えられている。
【０２０２】
図７５においてAlarm Severity Controlボタンがクリックされると、図７６のAlarm Severity Controlウインドウが表示される。このウインドウは、ＮＯＤＥを任意に指定して、そのＮＯＤＥからＵ−ＮＭＥ３に通知される警報（アラーム）情報の重要度（または緊急度）を、個々のアラーム種別ごとに設定するためのものである。
【０２０３】
図７６のProbable Causeボタンがクリックされると、図７７のProbable Cause Selectionウインドウが表示される。このウインドウでは、Station/Ring Network，NODEの欄で操作対象とするＮＯＤＥが指定される。またこのウインドウでは、Categoryの欄で、上記指定されたＮＯＤＥのカテゴリー（HS、LS、Clock、DCC、Equipment、Environmentなど）が指定される。特に、この欄でＬＳが選択された場合には、LS Shelfの欄がアクティブ表示となり、このLS Shelfの欄を用いて上記選択されたＮＯＤＥのシェルフが選択される。
【０２０４】
図７７のウインドウのProbable Causeの欄には、上記操作対象に予め登録されている警報の発生要因がスクロールウインドウにクリッカブルに表示される。このスクロールウインドウでいずれかの要因がクリックされ、選択される。警報の発生要因としては、ＡＩＳ（Alarm Indication Signal），Power Problem，ＬＯＳ（Loss of Signal），ＬＯＦ（Loss of Frame）などがある。さらに、図７７のウインドウでOperation Modeで任意の欄がチェックされたのちExecボタンがクリックされると、画面表示は図７６に戻る。
【０２０５】
図７７のウインドウでExecボタンがクリックされると、図７７のウインドウで設定された内容に関する現在の状態が、操作対象のＮＯＤＥから読み出される。この読み出された内容が、図７６の表示に反映される。すなわち、図７６のウインドウには、操作対象のＮＯＤＥとそのカテゴリー、Probable Cause、及び、Operation Modeが表示される。また、図７６のウインドウには、ノードから読み出された現在の状態が、Assignment Profileの欄にクリッカブルに一覧表示される。
【０２０６】
Assignment Profileにおいては、任意の項目がクリックされ、クリックされた項目に対して、Severityの欄で緊急度が個々に設定される。Severityには、Critical、Major、Minor、Warning、または、Non Alarmなどがある。
【０２０７】
図７６のウインドウ上での設定が完了したのち、Execボタンがクリックされると、操作対象に指定されたＮＯＤＥに設定内容が通知される。通知を受けたＮＯＤＥでは、警報の通知に際しての条件が新たにセットされる。セットが正常に完了したか（ＯＫ）または正常に完了しなかったか（ＮＧ）などの情報は、図７６のConsoleの欄に表示される。
【０２０８】
このようにして、ＮＯＤＥから通知される警報の緊急度を、Ｕ−ＮＭＥ３側から任意に設定することが可能となる。これにより、以下のようなことが可能となる。例えばＮＯＤＥの動作試験、設置作業、または、カード交換などの作業が行われると、ＮＯＤＥ側で各種の警報が多量に発生する。これらの警報がすべてＵ−ＮＭＥ３に通知されると、警報を通知するために通信リソースが消費されてしまい、てシステム運用に悪影響を及ぼす虞がある。特に、ＡＩＳ（Alarm Indication Signal）についてはこのことが顕著である。
【０２０９】
そこで、図７６に示されるようなウインドウを設け、個々の警報ごとに緊急度を任意に設定できるようにしておくことにより、試験の際には必要最小限の警報を発するなどの設定を行えるようになる。これにより、システム運用上の便宜を図ることができる。また、警報の緊急度を任意に設定できるようにすることで、緊急度に応じた画面中の色分けなどを行える。
【０２１０】
次に、図７８に示されるMaintenance Controlウインドウにつき説明する。図７８のウインドウは、図７５のウインドウにおいてMaintenance Controlボタンがクリックされたときに表示される。このウインドウは、ＮＯＤＥの運用モードを変更するために使用される。ＮＯＤＥにおける運用モードとしては、Maintenance（メンテナンスモード）またはNot Maintenance（非メンテナンスモード）のいずれかがある。図７８のウインドウ上で、操作の対象とするＮＯＤＥが図７７と同じようにして選択され、Maintenance、またはNot MaintenanceのいずれかがチェックされたのちExecボタンがクリックされると、設定内容が選択されたＮＯＤＥに通知される。
【０２１１】
次に、図７９に示されるMaintenance Signal Insertion Controlウインドウにつき説明する。が表示される。図７９のウインドウは、図７５のMaintenance Signal Insertion Controlボタンがクリックされたときに表示される。このウインドウは、ＮＯＤＥを任意に指定して、種々の警報情報のうち、特に保守に係わる信号（Maintenance Signal：保守用信号）の送出の許可または不許可を設定するためのウインドウである。保守用信号としては、例えば上記したＡＩＳなどがある。
【０２１２】
図７９のウインドウにおいては、NODE/Shelfボタンがクリックされると図８０のNODE/Shelf Selectionウインドウが開かれる。図８０のウインドウでは、操作対象とするＮＯＤＥとそのシェルフが選択される。図８０のウインドウでExecボタンがクリックされると図７９のウインドウに戻る。その際、図８０のウインドウで選択された結果が、図７９のウインドウに表示される。また、操作対象とされたＮＯＤＥから現在の状態が読み出され、図７９のスクロールウインドウに表示される。
【０２１３】
図７９のスクロールウインドウで任意の項目（チャネル）がクリックされると、図８１のInsertion Mode Settingウインドウが開かれる。この図８１のウインドウにおいては、個々のOperation Mode（SRV，PRT，P/T）につきAllow（許可）またはInhibit（不許可）のいずれかが選択される。図８１のウインドウでExecボタンがクリックされると、画面の表示は図７９のウインドウに戻る。
【０２１４】
そして、図７９のウインドウにおいてExecボタンがクリックされると、設定された内容が、選択されたＮＯＤＥに通知される。この通知を受けたＮＯＤＥは、上記設定内容に従って、保守用信号を送出する。
【０２１５】
次に、図８２に示されるSD Threshold Controlウインドウにつき説明する。このウインドウは、図７５のSD Threshold Controlボタンがクリックされたときに表示される。図８２のウインドウは、警報情報のうち、特にＳＤ（Signal Degrade）に係わる設定を行うためのものである。すなわち、図８２のウインドウにおいては、ＳＤ警報が発せられる際の閾値が設定される。
【０２１６】
図８２のウインドウにおいては、NODE/Shelfボタンがクリックされると図８３のNODE/Shelf Selectionウインドウが開かれる。図８３のウインドウでは、操作対象とするＮＯＤＥとそのシェルフが選択される。図８３のウインドウでExecボタンがクリックされると図８２のウインドウに戻る。その際、図８３のウインドウで選択された結果が、図８２のウインドウに表示される。また、操作対象とされたＮＯＤＥから現在の状態が読み出され、図８２のスクロールウインドウに表示される。
【０２１７】
図８２のスクロールウインドウで任意の項目（チャネル）がクリックされると、図８４のSD Threshold Settingウインドウが開かれる。この図８４のウインドウにおいては、個々のOperation Mode（SRV，PRT，P/T）につき、ＳＤ警報が送出される際の閾値が設定される。図８４のウインドウでExecボタンがクリックされると、画面の表示は図８２のウインドウに戻る。
【０２１８】
そして、図８２のウインドウにおいてExecボタンがクリックされると、設定された内容が、選択されたＮＯＤＥに通知される。この通知を受けたＮＯＤＥは、上記設定内容に従って、ＳＤ警報を送出する。
【０２１９】
（Ｎｅｔｗｏｒｋ  Ｃｏｎｆｉｇｕｒａｔｉｏｎ）
次に、図３の主画面におけるNetwork Configurationボタンがクリックされたときの機能につき説明する。Network Configurationボタンがクリックされると、図８５のNetwork Configurationウインドウが表示される。このウインドウはネットワーク構成に係わる機能をメニュー表示するものである。このウインドウには、“APS Control”、“Protection Switching Control”、“Path Configuration Control”、“Ring Map Administrative Control”、“NODE Timing Mode Control”と表示された機能ボタンが備えられている。
【０２２０】
図８５においてAPS Controlボタンがクリックされると、図８６のAPS Controlウインドウが表示される。図８６のウインドウは、ＡＰＳ機能に係わる各種パラメータを設定するためのウインドウである。このウインドウでProtection Sectionボタンがクリックされると、図８７のProtection Section Selectionウインドウが表示される。
【０２２１】
図８７のウインドウは操作対象を設定するための画面で、まず、Sectionの欄でHSまたはLSが選択される。ここでLSが選択されると、さらに、ノードおよびそのシェルフが指定される。SectionでHSが選択された場合には、Station/Ring Network以下の欄はインアクティブとなる。このウインドウ上で設定がなされたのちExecボタンがクリックされると、画面の表示は再び図８６に戻る。
【０２２２】
画面の表示が図８７から図８６のウインドウに戻ったとき、図８６のウインドウ中のスクロールウインドウには、図８７で選択された対象における、現在の設定状態が表示される。図８６のスクロールウインドウにおいては、複数の行が縦に並んで表示される。各行が、選択された対象における個々のシェルフに対応する。各行には、個々のシェルフにおける、LS Channel、LS Type、Wait-to-Restore、Wait-to-Response、及び、Hold off Timeの状態がそれぞれ表示される。このスクロールウインドウにおける表示様態は、図８７においてLSが選択されたことに対応している。
【０２２３】
さて、図８６のスクロールウインドウで任意の行がクリックして選択されると、図８８のAPS Settingウインドウが表示される。図８８のウインドウにおいては、上記選択された対象につき、各種パラメータが数値で入力される。図８８において、LS TypeではAPSのタイプが指定される。ここでは０：１の切り替え方式が選択されている。このほか、図８８のウインドウでは、１＋１などの切り替え方式を選択できるようになっている。
【０２２４】
図８８のウインドウにおけるWait-to-Restore Time，Wait-to-Response Time，Hold off Timeの各項目は、いずれもAPSに係わる時間的なパラメータである。図８８のウインドウでの入力操作ののちExecボタンがクリックされると、画面の表示は図８６に戻り、その内容に図８８のウインドウにおける設定内容が反映される。
【０２２５】
なお、図８７のウインドウにおいて、操作対象としてHS（Section）が選択された場合には、Station/Ring Network以下の欄はインアクティブとなって、個々のＮＯＤＥを指定することができなくなる。このことに応じて、図８６〜図８８の表示内容も変わる。これは、同一のリングに属するＮＯＤＥにおいては、HSのAPSに関する設定が互いに同じでなければならないことによる。
【０２２６】
次に、図８５のウインドウでProtection Switching Controlボタンがクリックされると、図８９のProtection Switching Controlウインドウが表示される。このウインドウは、ユーザによるコマンド投入により冗長切り替え処理を行うためのウインドウである。
【０２２７】
図８９でSwitching Section Selectionボタンがクリックされると、図９０のSwitching Section Selectionウインドウが表示される。図９０のウインドウは、冗長切り替えを行う対象を設定するためのウインドウである。このウインドウでは、Sectionの欄に、LS、HSのほかにEquipmentなる項目が設けられており、装置内切り替えを含めて選択できるようになっている。
【０２２８】
図９０のウインドウで対象が選択されたのちExecボタンがクリックされると、画面の表示は図８９に戻り、図９０のウインドウで選択された対象の現在の状態が図８９の表示に反映される。なお、図９０における選択内容に応じて、図８９の表示フォームも変わる。図８９には、図９０のウインドウにおいてEquipmentが選択した場合の表示フォームが示される。
【０２２９】
図８９には、Sectionの欄に、図０のウインドウで選択されたSectionが表示される。Service Trafficの欄に、サービストラヒックが現時点で流れている系（ここでは予備系：PRT）が表示される。その下のスクロールウインドウには、Protection Status、Request Source、Switch Status、Auto Switch Condition、及び、Switch Typeなるパラメータの現在の状態が表示される。
【０２３０】
なお、図８９においては、SectionとしてEquipmentが指定されているため、スクロールウインドウが二つ開いており、それぞれのスクロールウインドウにおいて個別に設定を行えるようになっている。これは、Equipment、および、HSに関してはEast、またはWestという２つの方向の切り替えが存在することに対応している。これに対して、LSが指定された場合には、開かれるスクロールウインドウは一つとなる。
ちなみに、図９０のウインドウのSectionにおいてHSが指定された場合には、図８９のウインドウにおいてLS1-LS64、LS65-LS128として表示された箇所に、EAST、WESTなる項目が表示される。
【０２３１】
図８９のウインドウのControl Section欄では、LS1-LS64の横に設けられたラジオボタン、またはLS65-LS128の横に設けられたラジオボタンのうちいずれかがチェックされ、LS1-LS64、またはLS65-LS128のいずれかのセクションが選択される。この選択されたセクションに対して、Switch Type Controlと記されたスクロールウインドウで切り替え種別（Forced Switch，Manual Switchなど）が選択される。そして、Actionの欄でInvoke（切り替えの実行）またはRelease（切り替わっている状態から戻す）のいずれかが指定されてExecボタンがクリックされると、上記選択されたＮＯＤＥに対して設定内容が通知される。この通知を受けたＮＯＤＥにおいては、新たな切り替え状態がセットされる。このようにして、Ｕ−ＮＭＥ３側から、任意のＮＯＤＥに対して、その切り替え状態を制御することが可能となる。
【０２３２】
次に、図８５のPath Configuration Controlボタンがクリックされると、図９１のPath Configuration Controlウインドウが表示される。このウインドウは、ネットワーク内に設定されるパスを操作するためのウインドウである。
【０２３３】
まず、パスを操作するに当たり現在のパスの設定状態を知る必要がある。そこで、図９１のウインドウのPath Configurationボタンがクリックされると、図９２のPath Configurationウインドウが表示される。図９２のウインドウは、パスの設定状態情報を取得するリングネットワーク指定するためのウインドウである。また図９２のウインドウでは、パスの設定状態情報を取得する際のモードも指定される。
【０２３４】
図９２のウインドウにおいて、Ring Networkの欄で、任意のリングネットワークを選択される。また、Operation Modeの欄で、選択されたリングネットワークにつきSRV，P/Tのいずれか、または両方のOperation Modeが指定される。Get Mode欄では、Get Only、またはGet & Setのいずれかのモードが指定される。
【０２３５】
Get Onlyモードでは、現在のパスの設定状態情報が取得される。Get & Setモードでは、現在のパスの設定状態が取得されたのち、新たなパスの状態を設定することが可能なモードである。特に、Get & Setモードにおいては、パスの状態が変更されるため、その処理中には、各ＮＯＤＥにおけるAPS機能を一時停止する必要がある。この点において、Get & SetモードはでGet Onlyモードと区別される。
【０２３６】
図９２のウインドウにおいて各欄が指定されたのちExecボタンがクリックされると、操作対象のＮＯＤＥからパスの設定状態情報が読み出され、図９１の表示内容に反映される。
【０２３７】
図９１のウインドウにおいては、図９２のウインドウにおいてSRVとP/Tとが指定されため、SRV系における状態と、P/T系における状態とがウインドウの上下に分けて表示される。図９１のウインドウにおいては、SRVとP/Tとのそれぞれにスクロールボタンを設け、表示領域を上下にスクロールできるようになっている。これにより、ユーザは、全てのタイムスロット（Time Slot）についての状態を把握することが可能になる。
【０２３８】
ところで、図９１のウインドウにおいては、ネットワークに存在するパスが、矢印としてシンボル的に表示される。なお、矢印の矢は、ＮＯＤＥにおいてパスがＬＳ側にドロップされていることを示している。
【０２３９】
そして、各パスに対して、それぞれ２つの矢印が表示される。一方の矢印は、そのパスが存在することを示すシンボルとしての矢印である。他方の矢印は、そのパスの現在の状態を示す矢印であり、特に、カレントパス（Current Path）と称される。このカレントパス（Current Path）は、現状のパスがどの経路を通っているかを示すものである。
【０２４０】
図９１のウインドウにおいて、Current Pathと表示された欄があり、この欄ではラジオボタンによりOnまたはOffを選択できるようになっている。この欄は、図９１のウインドウにおいてカレントパスを表示するか、否かを指定するためのものである。図９１においてはOnがチェックされており、カレントパスの表示機能がオンになっている。
【０２４１】
これにより、図中の各パスごとに、パスの存在を示すシンボルとしての矢印と、この矢印により存在が示されるパスの状態を示す矢印とが、ペアとなって表示される。なお、Current Pathの欄でOffが選択されると、図９１においてはカレントパスが表示されなくなり、パスの存在を示すシンボルとしての矢印だけが表示される。
【０２４２】
図９１における点線で囲まれた部分には、タイムスロット１における、NODE#04とNODE#06との間のパスの状態が示されている。ここに示された一対の矢印のうち、一方は途切れること無く、SRVの範囲に描かれている。この矢印により、NODE#04とNODE#06との間のタイムスロット１に、パスが存在することが示される。また一対の矢印のうち、他方の矢印は、NODE#5の位置で切断されて描かれている。すなわち、この矢印は、NODE#4からNODE#5までの間はサービス系（SRV）側に、NODE#5からNODE#6までの間はパートタイム系（P/T）側に描かれている。この矢印が、カレントパスを示す。
【０２４３】
このようにカレントパスが表示されることにより、次のことが示される。すなわち、このパスは、NODE#04〜NODE#05区間においては、現用系区間のタイムスロット１に設定されており、NODE#05〜NODE#06区間においては、予備系区間のタイムスロット１に設定されている。つまり、このパスは、NODE#05〜NODE#06区間においては、現用系伝送路から予備系伝送路に切り替えられている。
【０２４４】
さらに、サービス系のNODE#05〜NODE#06区間では、画面上における表示色が例えばグレーで示される（図中ハッチング部分）。これにより、この区間の現用系伝送路に障害が発生していることが示される。このことは、上記パスが予備系伝送路に切り替えられていることの裏付けになっている。また、障害が復旧してカレントパスが現用系に切り戻されれば、それに応じてウインドウにおける表示も元に戻る。
【０２４５】
以上のように表示するようにしたので、現在のパス（カレントパス）の状態と、各区間における障害の有無を一目で把握することが可能となる。
【０２４６】
図９１よれば、NODE#3とNODE#5との間の区間のSRV系のタイムスロット４に、パスが設定されていることが示される。この矢印とともに、（△）、（◎）、及び、（□）なる記号が表示されている。記号（△）はNODE#3の位置に、記号（◎）はNODE#4の位置に、記号（□）はNODE#5の位置にそれぞれ表示されている。これらの記号により、この矢印に対応するパスがデュアルホーミングパス（Dual Homing Path）であることが示される。
【０２４７】
記号（△）は、この記号が表示されたノードが“head Node”であることを示す。記号（◎）は、この記号が表示されたノードが“Drop & Continue with Add Node”であることを示す。記号（□）は、この記号が表示されたノードが“Tail Node”であることを示す。
【０２４８】
これらの記号により、次のことが示される。すなわち、ＮＯＤＥ＃３でＬＳ側Addされたパスは、ＮＯＤＥ＃０５でＬＳ側にドロップされるとともに、途中のＮＯＤＥ＃４でもＬＳ側にドロップされる。また、ＮＯＤＥ＃４において逆方向のパスがＬＳ側からAddされており、その逆方向パスはＮＯＤＥ＃３においてＬＳ側にドロップされる。
【０２４９】
また、図９１のウインドウにおいては、各記号に対応付けて、“６６”、“１”、及び“４”なる番号が表示されている。この番号は、パスのドロップ先となるＮＯＤＥの低速側チャネル番号を示している。
【０２５０】
図９１において、NODE#01とNODE#02との間のSRV区間には、タイムスロット１〜４の位置にそれぞれ一対（計８本）の矢印が表示されている。各対のうち下側に、カレントパスを示す矢印が表示される。これらの矢印とともに、四角で囲まれた数字２が描かれている。この数字“２”は、パス番号（Path Number）を示す。パス番号とは、それぞれのパスを区別するために、便宜的に付される通し番号である。通し番号であるので、ネットワーク内のパスの数が変われば、それに応じてパス番号を示す数字も変わる。
【０２５１】
これらの４つの矢印のペアは、全体として一つのコンカチネーション（Concatenation）パスであることを表示している。つまり、４つのタイムスロットで一つのパスが形成される。ここに、“１Ａ１ａ”、または“１７Ｂ１”と表記されているのは、パスのドロップ状態を示している。例えば“１７Ｂ１”と表記されているとき、最初の“１７”で、パスがドロップされる低速側のチャネル番号が示される。次の“Ｂ”で、パスがドロップされるＬＳ側の基板種別が示される。“Ｂ”はSTM-16基板を意味し、“Ａ”はSTM-4基板を意味する。次の“１”で、低速側チャネルにおけるタイムスロット番号が示される。最後の“ａ”は、コンカチネーションの種別を示しており、この矢印で示されるコンカチネーション信号が、STM-4相当のAU-4-4c信号であることを示す。
【０２５２】
次に、図９１のウインドウ上において、新たなパスを生成するための手順を説明する。まず、図９１中で任意のタイムスロットがクリックされたのち、Createボタン、またはModifyボタン（図左下）がクリックされる。そうすると、図９３のPath Updateウインドウが表示される。図９３のウインドウには、指定されたタイムスロットのみが抜き出されたかたちで表示される。このウインドウを用いてパスが設定される。
【０２５３】
図９３のウインドウにおいて、まず、設定しようとするパスの始点及び終点がユーザにより指定される。例えば、図９３の点線囲み部分（実際の図には点線は表示されない）がクリックされると、図９４のNode Informationウインドウが開かれる。ここでは、図９３においてハッチングされた箇所がクリックされたものとする。
【０２５４】
図９４には、クリックされた箇所に相当するＮＯＤＥの状態が表示される。すなわち図９３のハッチング部分は、NODE#2のHS Westに相当する。図９４においてEdit Type欄は、図９４のウインドウを用いて如何なる操作を行うかを選択するためのもので、Modifyで修正、Revokeで削除が選択される。LS Channel欄は、パスの始点、または終点となるチャネルがプルダウンメニューで選択される。ここでは“１Ａ１”と表示されている。最初の“１”でチャネル番号が示される。次の“Ａ”で基盤種別（ＳＴＭ−４）が示される。次の“１”でＬＳのタイムスロットが示される。
【０２５５】
図９４のConcatenation Typeでは、設定すべきパスのコンカチネーションの種別が指定される。図９４においては、STM-1相当のAU-4、STM-4相当のAU-4-4c、STM-16相当のAU-4-16c、およびSTM-64相当のAU-4-64cのいずれかを選択できるようになっている。Node Typeでは、信号のドロップ種別が選択される。図９４ではPoint-to-Pointとなっており、これは図９３中では×印で表示される。このほかにも、デュアルホーミングパスの設定に使用するHead（△），Tail（□）、 Drop & Continue（○）、Drop & Continue with Add（◎）が選択できるようになっている。
【０２５６】
図９４のウインドウにおいてExecボタンがクリックされると、このウインドウで設定された各項目が有効になる。上記の手順が、パスの始点、及び終点のそれぞれにつき実行されると、図９３に、設定すべきパスに対応付けられた矢印が表示される。なお、デュアルホーミングパスについては中間ノードについても同様の設定を行う必要があり、特にDrop ＆ Continue，Head，Tailなどの設定が係わってくる。
【０２５７】
さて、図９３においてパスの設定作業が完了すると、ユーザによりExecボタンがクリックされる。そうすると、所定のCAUTION画面が表示されたのち、警告に対してOKならば図９１に戻り、図９３のウインドウで設定された内容が図９１の表示に反映される。図９１のウインドウにおいては、設定中のパスが、他と区別すべく例えば点線で表示される（図９１には表示されていない。ただし、右下にModifiedとして描画線種別が示されている）。このほか、色分けにより、または線種（点線、一点鎖線など）を異ならせることにより、Configured，Modified，Pre-empted，Restored，Normal，Concatenationなるパス種別が区別されるようになっている。
【０２５８】
以上の手順が、設定すべきパスのそれぞれに対して繰り返し実施される。なお、ここまでの手順では、ネットワーク内にパスは生成されない。
そして、所望のパスを設定するための作業が全て完了したのちに、図９１のUpdateボタンがクリックされる。そうすると、各ＮＯＤＥに対してパスを生成するためのメッセージが送られ、ネットワークシステム内に新たな、あるいは修正されたパスが生成される。すると、図９１においても、新たなパスの設定内容が反映される。
【０２５９】
ここで、図９１のUpdateボタンがクリックされてパス設定するときには、リングネットワーク内のAPS機能をロックし、障害が発生しても冗長系切り替えが実行されないようにする。これは、パス設定作業にAPSが機能すると誤接続などを生じるため、必須の手順である。そして、新しいパスの設定に必要な各ＮＯＤＥ内のＴＳＡの設定が全て終了した後、APS機能のロックを解除する。
【０２６０】
次に、パスの削除手順を説明する。パスを削除するには、図９１のウインドウにおいて任意のパスがクリックされたのち、図９１のDeleteボタンがクリックされる。そうすると、図９１において、当該クリックされたパスが表示されなくなる。この段階では、ネットワーク内に当該パスが存在する。そして、図９１のUpdateボタンがクリックされると、ネットワークから当該パスが削除される。
【０２６１】
次に、図９１に示されるPath Nameボタンがクリックされたときの機能につき説明する。Path Nameボタンがクリックされると、図９５のPath Name Updateウインドウが表示される。図９５のウインドウには、図９１のＧＵＩ（Graphical User Interface）上で表示されているパスが、テキストで一覧表示される。図９５においては、各パスのパス番号に、当該パスの名称（名称の無いパスはPath Nameが空欄となる）が対応づけて表示される。このウインドウで任意のパスがクリックされると、図９６のPath Name Inputウインドウが表示される。図９６のウインドウでは、上記クリックされたパスに任意の名称（ニックネーム、エンドユーザ名など）を付すことができる。これは、パス管理などに役立てることができる。
【０２６２】
次に、図９１に示されるDiagnosticsボタンがクリックされたときの機能につき説明する。Diagnosticsボタンがクリックされると、図９７のDiagnosticsウインドウが表示される。図９７のウインドウは、各ＮＯＤＥにおいて記憶されているリングマップ（Ring Map）と称されるデータを、ファブリック（Fabric）と称されるデータに一致させるための機能（Diagnostics）を実行する際に用いるウインドウである。
【０２６３】
リングマップとは、各パスにつき、その詳細（張られた区間、ドロップするノードおよびそのチャネル、スロットなど）な情報をリングネットワーク単位でまとめたデータベースであり、各ＮＯＤＥにおいてそれぞれ記憶されている。個々のリングネットワークにおける各ＮＯＤＥ間で、リングマップが一致していないと、冗長切り替えの際に矛盾を生じ、誤接続を生じる虞がある。このため、システムの運用中は常時、または障害復旧の際には速やかに、各ＮＯＤＥ間でリングマップを一致させる必要がある。
【０２６４】
ファブリックとは、端的に言えば、高速側のどのタイムスロットが低速側のどのチャネルに結びついているかを示す情報である。この情報は、各ＮＯＤＥが自装置に関係する情報のみを記憶している。Ｕ−ＮＭＥ３は、図９１のウインドウを開く際に、各ＮＯＤＥからファブリックを取得し、これをもとに図９１のウインドウを描画する。
【０２６５】
各ＮＯＤＥは、パスの状態に関する情報としては、自装置に係わるもの（すなわちファブリック）しか持っていない。このため、ＮＯＤＥは、ネットワーク内における全てのパスの設定状態を知ることができない。ここに、ＮＯＤＥ間でリングマップが食い違う要因がある。
【０２６６】
これに対し、全てのＮＯＤＥからファブリックを取得できるＵ−ＮＭＥ３は、ネットワーク内における全てのパスの設定状態を知ることができる。Diagnostics機能を実施するには、このことを利用する。Diagnosticsボタンがクリックされると、Ｕ−ＮＭＥ３はリングマップを各ＮＯＤＥごとに読み出し、これと、先に読み出したファブリックとを比較して、両データに整合が取れているか否かを判定する。
【０２６７】
この判定の結果が、図９７のウインドウに表示される。図９７においては、整合が取れていれば“Match”、整合が取れていなければ“Unmatch”が表示される。ここで、“Unmatch”がクリックされたのちExecボタンがクリックされると、Ｕ−ＮＭＥ３は、ファブリックを元に新たなリングマップを生成する。そして、この新たに生成されたリングマップを、不整合のあったＮＯＤＥに通知し、データベースを更新させる。
【０２６８】
次に、図９１のIrregular GTPボタンがクリックされたときの機能につき説明する。Irregular GTPボタンがクリックされると、図９８のIrregular GTP Deletionウインドウが表示される。図９８のウインドウは、ＮＯＤＥにおいて使用されていないリソースが生じた場合に、そのリソースを開放して、当該リソースを有効に利用できるようにするために用いられる。
【０２６９】
ここで、ＧＴＰ（Group Termination Point）とはコンカチネーションパスに係わる概念である。ＧＴＰにつき簡略に説明する。例えば、AU-4-4cとして表されるコンカチネーションパスは、４つの連続するタイムスロットを繋げたものである。このようなパスを生成するには▲１▼高速側タイムスロットを一纏めにし（第１のGTPを生成）、▲２▼低速側チャネルを一纏めにし（第２のGTPを生成）、▲３▼第１のGTPと第２のGTPとを関連付けるという手順が踏まれる。
【０２７０】
また、コンカチネーションパスを消去するには、上記と逆の手順が踏まれる。すなわち、▲４▼第１のGTPと第２のGTPとの関連を解き、▲５▼低速側チャネルのまとまりを解き（第２のGTPを解除）、▲６▼高速側タイムスロットのまとまりを解く（第１のGTPを解除）という手順が踏まれる。
【０２７１】
このとき、障害の発生などにより▲６▼の手順が正常に完了しないことがある。そうすると、高速側タイムスロットのまとまりは解除されないにもかかわらず、これらのまとまりは使用されない状態となり、いわゆるリソース浮きが発生する。図９８のウインドウはこの状態を解消するためのものである。
【０２７２】
図９８のウインドウには、リソース浮きの原因となっているＧＴＰの番号と、このＧＴＰの存在する箇所が、ＮＯＤＥ、Operation Mode（SRVまたはP/T）、タイムスロット、チャネル（TS/Channel）、及び、West側、East側にて示される。図９８に示される状態でExecボタンがクリックされると、ＮＯＤＥ内の使用されていないリソースの開放要求がＮＯＤＥに送られ、その結果が図９８のResultの欄に表示される。
【０２７３】
［補足説明］
以下、Network Configurationに係わる機能に関して補足説明する。
図９９のウインドウは、Protection Status Informationウインドウと称され、図９１のウインドウでQuitボタンがクリックされたときに表示されるウインドウである。すなわち、QuitボタンにクリックによりAPS機能のロックが開放されるが、何らかの原因により機能が開放されないままロックが継続されてしまうことがある。このような場合、図９１のウインドウはクローズされるため、図９９のウインドウを開いてＮＯＤＥのプロテクション機能の開放状態を表示する。図９９のウインドウでロック状態が全て開放されていることが確認されれば、Quitボタンがクリックされて、パス設定作業が終了する。
【０２７４】
図１００は、図９１のウインドウの他の表示例を示す図である。図１００は、ウインドウ中に横方向のスクロールボタンを備え、画面表示を横方向にスクロールできるようにした。図１００は、図９１をそのまま右にスクロールしたもので、表示内容は全く同一である。画面をスクロールさせるためには、ウインドウ中に設けられたスクロールボタンが追加されている。
【０２７５】
図９１に示されるように、NODE#07〜NODE#01間のP/T系タイムスロット２にはパスが張られていると、このパスが表示がが左右に分かれてしまうことにより見ずらい。この場合、画面表示を横方向にスクロールできるようにした。これにより、左右に分かれた矢印も画面をスクロールさせることで一つに繋がった矢印として表示され、見やすくなる。
【０２７６】
次に、図８５のRing Map Administrative Controlボタンがクリックされたときの機能につき説明する。Ring Map Administrative Controlボタンがクリックされると、図１０１のRing Map Administrative Controlウインドウが表示される。図１０１のウインドウは、APS機能のロック（Lock）またはアンロック（Unlock）を、ＮＯＤＥ単位で個別に設定するためのウインドウである。このウインドウは、ロック（Lock）されたAPS機能が何らかの事情で開放されなかった場合、それを手動で開放する場合に利用される。
【０２７７】
図１０１において、Ring Networkボタンがクリックされると、図１０２のRing Network Selectionウインドウが開かれる。このウインドウで所望のリングネットワークが選択されてExecボタンがクリックされると、画面の表示は図１０１に戻る。このとき、選択されたリングネットワークに属するＮＯＤＥと、そのAPSの状態（Administrative State）が、図１０１のウインドウに一覧表示される。
図１０１のウインドウで所望のＮＯＤＥがクリックされると、図１０３のRing Map Administrative Settingウインドウが表示される。図１０３のウインドウにおいては、Locked（ロック）またはUnlocked（開放）のいずれかの状態が選択される。図１０３のウインドウでExecボタンがクリックされると、画面の表示は図１０１に戻り、図１０３のウインドウで選択された内容が表示に反映される。
【０２７８】
このようにして、所望のＮＯＤＥにつき個別にAdministrative Stateが設定されたのち図１０１のExecボタンがクリックされると、選択されたＮＯＤＥに対してメッセージが送出され、APSの状態がLockedまたはUnlockedにセットされる。
【０２７９】
次に、図８５のNODE Timing mode Controlボタンがクリックされたときの機能につき説明する。NODE Timing mode Controlボタンがクリックされると、図１０４のNODE Timing mode Controlウインドウが表示される。図１０４のウインドウは、動作クロックの取り方（Timing Mode）を、各ＮＯＤＥごとに手操作によるオペレーションで設定するためのウインドウである。
【０２８０】
図１０４のウインドウでStation/Ring Networkボタンがクリックされると、図１０５のStation/Ring Network Selectionウインドウが開かれる。図１０５のウインドウでは、ステーションまたはリングネットワークが選択される。このウインドウで選択されたステーションまたはリングネットワークに属するＮＯＤＥの現在のクロック供給状態が、図１０４に一覧表示される。
【０２８１】
図１０４のウインドウにおいて、任意のＮＯＤＥがクリックして選択されると、図１０６のNODE Timing Mode Settingウインドウが表示される。図１０６のウインドウにおいて、System Timing Mode、Select Clock、Select Card、Synchronization Mode（SYNC Mode）、及び、Transmitting S1（WESTおよびEAST）の各項目が指定されたのちExecボタンがクリックされると、画面の表示は図１０４に戻り、図１０６のウインドウで指定された内容が反映される。このような操作がユーザの所望するＮＯＤＥにつき全て実施されたのち、図１０４のExecボタンがクリックされると、設定したＮＯＤＥに対してメッセージが送出されて、クロックの同期状態がセットされる。
【０２８２】
（ＮＯＤＥ  Ｆｕｎｃｔｉｏｎ）
次に、図３の主画面におけるNODE Functionボタンがクリックされたときの機能につき説明する。NODE Functionボタンがクリックされると、図１０７のNODE Functionウインドウが表示される。このウインドウは、ＮＯＤＥの低速（ＬＳ）インタフェースの監視制御機能に関する項目、および、ＮＯＤＥの情報通知機能に関する項目をメニュー表示するものである。このウインドウには、“LS Card Control”、“Notification Reporting Control”として示す機能ボタンが備えられている。
【０２８３】
図１０７においてLS Card Controlボタンがクリックされると、図１０８のLS Card Controlウインドウが表示される。このウインドウは、各ＮＯＤＥに実装された複数のカード（基板）を、それぞれＵ−ＮＭＥ３による監視の対象とするか、または、監視の対象としないかを個別に設定するためのものである。
【０２８４】
すなわち、各ＮＯＤＥ１−１〜１−ｎにあっては、低速側基板（LS Card）を自由に抜き挿しできるようになっている。カードの交換や増設などによってカードの実装の状態が変化したことを、Ｕ−ＮＭＥ３において逐一把握しておくことが、システムを運用するうえで必要である。図１０８のウインドウでは、ＮＯＤＥから取り外されたことにより実装されなくなった基板を、Ｕ−ＮＭＥ３による監視の対象から削除するための設定を行う。
【０２８５】
図１０８において、Action欄は、実装する基板種別を変更するか否かを選択するために設けられている。この欄では、STM-1、STM-4、STM-16のなかからいずれかの基板を選択できるようになっている。
【０２８６】
図１０８のウインドウのAction欄以外の欄において、対象とするＮＯＤＥのカードが指定される。これらの欄のうち、Station/Ring Network欄では、All（ネットワークシステム全体）、Station（局舎単位）またはRing Network（リングネットワーク）のいずれかがラジオボタンで指定される。この欄でStationが指定されると、Station A〜Station Gのいずれかを選択するためのプルダウンメニューが表示される。Ring Networkが指定されると、Ring Network#01〜Ring Network#32のいずれかを選択するためのプルダウンメニューが表示される。ALLが指定されると、Ring Network:、NODE:、LS Shelf:、LS Card:の各欄がインアクティブ表示となり、クリックできなくなる。これは、ALLが指定されたことにより、システム内の全てのＮＯＤＥが、図１０８のウインドウにおける操作対象となることによる。
【０２８７】
図１０８のウインドウにおいて、Ring Network:欄には、Ring Network #01〜Ring Network #32のいずれかを選択するためのリスト（図示せず）がプルダウンメニューで表示される。このメニューを用いて、ユーザの所望するRing Networkが選択される。NODE:欄には、Ring Network:欄で指定されたリングネットワークに属するＮＯＤＥのリストが、プルダウンメニュー表示される。このメニューを用いて、ユーザの所望するＮＯＤＥが選択される。
【０２８８】
LS Shelf:欄には、NODE:欄で選択されたＮＯＤＥに装備されている低速シェルフの一覧が、プルダウンメニュー表示される。このメニューを用いて、ユーザの所望する低速シェルフが選択される。LS Card:欄には、LS Shelf:欄で選択されたシェルフに実装されている低速インタフェースカードの一覧がプルダウンメニュー表示される。このメニューを用いて、ユーザの所望するカードが選択される。
【０２８９】
上記各欄が指定されたのちExecボタンがクリックされることにより、指定されたＮＯＤＥに対して、指定された基板を監視対象から外す旨のメッセージが送出される。このメッセージを受け取ったＮＯＤＥは、以後、その基板を監視対象から除外する。
【０２９０】
このようにすることで、以下に示すような効果を得ることができる。仮に、４枚のSTM-1基板に代えて、同等の処理能力を持つ１枚のSTM-4基板１枚が挿し換えられたとする。そうすると、もともとSTM-1基板が挿入されていたスロットのうち３つが空きとなり、スロットに基板が実装されていない旨の警報が検出される。STM-4基板が挿入されたスロットにおいても、誤った基板が実装された旨を示す警報が検出される。この状態が放置されると、これらの警報がＵ−ＮＭＥ３に通知される状態がいつまでも続くことになり、システム運用に支障をきたす。
【０２９１】
そこで、ＮＯＤＥにメッセージを与え、抜かれた基板、および基板の抜かれたスロットを監視対象外とし、また、実装された基板の種別を変更するようにすることで、上記のような問題を回避することが可能となる。
【０２９２】
図１０７のNotification Reporting Controlボタンがクリックされると、図１０９のNotification Reporting Controlウインドウが表示される。図１０９のウインドウは、任意のＮＯＤＥに対して、その通知情報を通知する宛先をＵ−ＮＭＥ３側から設定するためのウインドウである。すなわち、このウインドウは、各ＮＯＤＥのＥＦＤ（Event Forwarding Discriminator）を、Ｕ−ＮＭＥ３側から手操作にて書き換えるためのウインドウである。
【０２９３】
まず、図１０９のNotificationボタンがクリックされると、図１１０のNotification Selectionウインドウが表示される。このウインドウでは、例えば図１０８と同様の手順により、対象とするＮＯＤＥが指定される。そして、Notification:欄で、ＥＦＤを書き替える通知情報の種別が指定される。図１１０では、通知情報の種別としてAlarmが選択されている。図１１０での設定が完了したのちExecボタンがクリックされると、画面の表示は図１０９に戻る。図１１０から図１０９に戻ったとき、Notificationボタンの隣に、“：”を挟んで図１１０のウインドウにおける設定内容が表示される。
【０２９４】
図１０９のウインドウにおいて、Destinations欄には、図１１０のウインドウで選択されたＮＯＤＥが、現時点で通知情報の宛先としているＵ−ＮＭＥ３の一覧が表示される。この欄で任意のＵ−ＮＭＥ３が選択され、Notification Reporting:欄でAllow（許可）またはInhibit（不許可）のいずれかが指定される。このようにして、一覧で表示されたＵ−ＮＭＥ３につき、通知情報を通知するか否かが個別に設定される。Execボタンがクリックされると、操作対象であるＮＯＤＥに設定内容を通知するメッセージが送られる。このメッセージを受けたＮＯＤＥは、設定内容に従って動作する。
【０２９５】
このようにすると、次のような効果を得られる。仮に、いずれかのＵ−ＮＭＥ３が故障した場合、この故障したＵ−ＮＭＥ３に対して通知情報を通知することは、システムの運用面での不都合を招く。通知された通知情報が、故障したＵ−ＮＭＥ３において失われてしまうからである。そこで、上記のようにしてＥＦＤを書き替えることで、重要なデータが失われるなどの不都合を回避できるようになる。また、通知情報をＵ−ＮＭＥ３に上げる際のトラフィックは比較的大きな帯域を占める。そこで、上記の機能を用いて、必要最小限のＵ−ＮＭＥ３にのみ通知情報を通知するように設定することにより、通知情報を必要最小限のトラフィックで通知できるようになり、その結果、ネットワーク負荷の軽減を図れる。
【０２９６】
（Ｓｅｃｕｒｉｔｙ  Ｃｏｎｔｒｏｌ）
次に、図３の主画面におけるSecurityボタンがクリックされたときの機能につき説明する。Securityボタンがクリックされると、図１１１のSecurity Controlウインドウが表示される。図１１１のウインドウには、システムのセキュリティ管理に係わる機能がメニュー表示される。このウインドウには、“User Control”、“Machine-Machine Security”、“Auto Logout Time Setting”と表示された機能ボタンが備えられている。
【０２９７】
図１１１のウインドウでUser Controlボタンがクリックされると、図１１２のUser Controlウインドウが表示される。図１１２のウインドウには、Ｕ−ＮＭＥ３に現在登録されているユーザ名（オペレータ名）が一覧で表示される。
【０２９８】
各ユーザは、それぞ固有のパスワードを持ち、Ｕ−ＮＭＥ３にログインする際などにこのパスワードが利用される。図１１２のウインドウにおいて、各ユーザのパスワードの有効期限が“Password Valid Date”欄に表示される。各ユーザには、Access Levelと称して、システム内の種々の機能に対して「どの程度まで操作可能であるか」を示すランクが設定される。図１１２のウインドウにはLevel-A〜Level-C、およびLevel-Sなるランクが表示されている。
【０２９９】
図１１２のウインドウでAdd Userボタンがクリックされると、図１１３のAdd Userウインドウが表示される。図１１３のウインドウは、Ｕ−ＮＭＥ３にアクセスするユーザを新規に登録するためのウインドウである。このウインドウには、ユーザ名入力欄と、パスワード入力欄と、パスワードの再確認を行うための欄と、アクセスレベルを設定するための欄とが備えられている。
【０３００】
また、図１１２のウインドウで任意のユーザが選択されたのち、Delete Userボタンがクリックされると、選択されたユーザの登録を抹消することができる。ユーザの登録を抹消するに際して、Ｕ−ＮＭＥ３は、
「削除してよろしいですか？
ユーザ名：ＸＸＸＸＸＸＸ
削除するならばＯＫボタンを、キャンセルするならＣａｎｃｅｌボタンをクリックして下さい。」の旨のCAUTIONウインドウ（図示せず）を表示して、ユーザの注意を促す。
【０３０１】
また、Ｕ−ＮＭＥ３にログインしているユーザが、図１１２のウインドウで自分自身を選択して登録を抹消しようとすると、Ｕ−ＮＭＥ３は、
「ユーザ名：ＸＸＸＸＸＸＸ
自分自身は削除できません。」の旨のCAUTIONウインドウ（図示せず）を表示してユーザの誤操作を防止する。
【０３０２】
図１１２のウインドウで任意のユーザが選択されたのち、Change Passwordボタンがクリックされると、図１１４のChange Passwordウインドウが開かれる。図１１４のウインドウは、選択されたユーザのパスワードを変更するためのウインドウである。図１１４のウインドウには、選択されたユーザ名が表示される欄と、このユーザの旧いパスワード（すなわち、現時点でのパスワード）の入力欄と、新たに設定するパスワードの入力欄と、新たに設定するパスワードを再確認するための欄とが備えられている。
【０３０３】
図１１２のウインドウで任意のユーザが選択されたのち、Change Access Levelボタンがクリックされると、図１１５のChange Access Levelウインドウが表示される。図１１５のウインドウは、選択されたユーザのアクセスレベルを変更するためのものである。このウインドウのラジオボタンをチェックして、いずれかのアクセスレベルが指定されたのちExecボタンがクリックされると、ユーザのアクセスレベルが新たに設定される。
【０３０４】
図１１２のウインドウで、任意のユーザが選択されたのち、Change Valid Dateボタンがクリックされると、図１１６のChange Valid Dateウインドウが表示される。このウインドウは、選択されたユーザのパスワードの有効期限を設定するためのウインドウである。図１１６のウインドウでは、パスワードの有効期限を、日単位、月単位、１２箇月以内の単位、または無制限のいずれかの単位で指定できるようになっている。
【０３０５】
次に、図１１１のウインドウでMachine-Machine Securityボタンがクリックされたときの機能につき説明する。Machine-Machine Securityボタンがクリックされると、図１１７のMachine-Machine Securityウインドウが表示される。図１１７のウインドウは、システム内の監視装置から被監視装置へのアクセスレベルを管理するためのウインドウである。図１１２〜図１１６のウインドウでは、人間の、装置に対するアクセス権限が管理された。これに対して図１１７のウインドウでは、装置の、装置に対するアクセス権限が管理される。なおここで言う監視装置とは、Ｕ−ＮＭＥ３およびＳＳＥ２のほか、ＣＰＴと称される簡易型の監視制御装置を含む。
【０３０６】
図１１７のウインドウにおいてEquipmentボタンがクリックされると、図１１８のEquipment Selectionウインドウが開かれる。図１１８のウインドウでは、設定の対象とする装置が選択される。図１１８のウインドウにおいては、例えば図５７で説明した手順と同様の手順により、任意のリングネットワークに属するＮＯＤＥ（ＮＯＤＥ１−１〜１−ｎ）、またはＳＳＥ２が選択される。
【０３０７】
図１１８のウインドウ上での選択操作が完了すると、選択された被監視装置の名称（例えばNODE #01）が、図１１７のEquipmentボタンの横に表示される。この選択された被監視装置を監視制御する装置（すなわちＵ−ＮＭＥ３またはＳＳＥ２）は予め設定されている。上記選択された被監視装置を監視制御する装置の名称が、当該選択された被監視装置から読み出され、この読み出された名称が、図１１７のウインドウ中央のスクロールウインドウに表示される。このスクロールウインドウには、読み出された監視装置の名称（Manager Name）と、そのアクセスレベルである。
【０３０８】
図１１７のウインドウでAdd Managerボタンがクリックされると、図１１９のAdd Managerウインドウが表示される。図１１９のウインドウは、図１１７で選択された被監視装置に対する監視装置を、新たに追加登録するために用いるウインドウである。図１１９のウインドウでManager Nameボタンがクリックされると、図１２０のManager Name Selectionウインドウが開かれる。図１２０のウインドウでは、一つの監視装置が任意に選択される。このウインドウでは、監視装置の設置される局舎と、監視装置の形式（Type：Ｕ−ＮＭＥ，ＳＳＥ，または、ＣＰＴ）を指定することにより、監視装置が特定される。このウインドウでは、特定された監視装置のアクセスレベルも併せて設定される。アクセスレベルに応じて、監視装置からアクセスすることのできる被監視装置の機能種別、および数が異なる。
【０３０９】
図１１７のウインドウにおいて、スクロールウインドウ内に表示されている監視装置のいずれかが選択されてDelete Managerボタンがクリックされると、この選択された監視装置の登録が抹消される。
【０３１０】
図１１７のウインドウにおいて、スクロールウインドウ内に表示されている監視装置のいずれかが選択されChange Manager Levelボタンがクリックされると、図１２１のChange Manager Levelウインドウが表示される。図１２１のウインドウは、選択した監視装置のアクセスレベルを変更するためのウインドウである。このウインドウにおいて任意のアクセスレベルが選択されてExecボタンがクリックされると、新たな設定が有効となる。
【０３１１】
次に、図１１１において、Auto Logout Time Settingボタンがクリックされたときの機能につき説明する。Auto Logout Time Settingボタンがクリックされると、図１２２のAuto Logout Time Settingウインドウが表示される。図１２２のこのウインドウは、オートログアウト機能におけるオートログアウト時間を設定するためのウインドウである。
【０３１２】
オートログアウト機能とは、ログインされている状態のＵ−ＮＭＥ３（またはＳＳＥ２）において、何らの操作も行なわれない状態が所定時間継続した場合に、自動的にログオフする機能である。この種の機能は、セキュリティ確保に有効であるとして良く知られている。図１２２のウインドウでは、最後の操作からログオフまでの時間（すなわちオートログアウト時間）が設定される。
【０３１３】
図１２２においては、Auto Logout Timeとして０．５Hour(s)すなわち３０分間がセットされている。これにより、最後の操作から３０分間が経過した時点で、自動的にＵ−ＮＭＥ３からログオフされる。
【０３１４】
（Ｓｙｓｔｅｍ  Ｓｅｒｖｉｃｅ）
次に、図３の主画面におけるSystem Serviceボタンがクリックされたときの機能につき説明する。System Serviceボタンがクリックされると、図１２３のSystem Serviceウインドウが表示される。図１２３のウインドウには、Ｕ−ＮＭＥ３における時刻の設定などの、種々のシステム設定に係わる機能がメニュー表示される。このウインドウには、“System Timing Setting”、“Software Information”、“Name Setting”、“Auto Time Adjustment Setting”、“SSE Switching Control”、“NODE Access Route Control”、“DB Synchro. Control”なる機能ボタンが備えられている。
【０３１５】
図１２３のウインドウでSystem Time Settingボタンがクリックされると、図１２４のSystem Time Settingウインドウが表示される。図１２４のウインドウは、ネットワークシステム内のいずれかの装置を指定して、その装置の動作基準時間を設定するためのウインドウである。
【０３１６】
図１２４のウインドウにおいてStation/Ring Networkボタンがクリックされると、図１２５のStation/Ring Network Selectionウインドウが表示される。図１２５のウインドウでは、動作時刻を設定する対象の装置が指定される。このウインドウでALLがチェックされると、ネットワークシステム内の全てのＮＯＤＥ１−１〜１−ｎが設定の対象となる。図１２５のウインドウでStationがチェックされると、特定の局舎に設置される３２台のＮＯＤＥが設定の対象となる。図１２５のウインドウでRing Networkがチェックされると、特定のリングネットワークに属する７台のＮＯＤＥが設定の対象となる。
【０３１７】
図１２５のウインドウでExecボタンがクリックされると、画面の表示は図１２４のウインドウに戻り、選択された各装置（DEVICE）から現時点における動作時刻の設定状態（Date/Time）が読み出され、図１２４のウインドウの中央のスクロールウインドウに表示される。図１２４のウインドウにおけるConsole欄には、読み出された結果、または、設定の結果が表示される。
【０３１８】
図１２４のウインドウのスクロールウインドウにおいて、任意の装置がクリックされて選択されたのち、Date/Time欄で動作時間が設定される。こののちExecボタンがクリックされると、上記選択された装置に対する動作時間の設定が有効となる。
【０３１９】
以上のようにして、任意の装置に対する動作時間を設定することにより、ネットワークシステムに存在する全ての装置を、同じ時間に同期して動作させることが可能になる。これにより、ネットワークシステムが互いに時差のある地域をまたいで設置された場合に、各装置の動作時刻を世界標準時間（ＵＴＣ）に合わせるといった設定が可能になる。もちろん、必要に応じて、装置毎に異なる動作時間を設定することも可能である。
【０３２０】
図１２３のウインドウでSoftware Informationボタンがクリックされると、図１２６のSoftware Informationウインドウが表示される。図１２６のウインドウは、いずれかのＮＯＤＥを指定し、そのＮＯＤＥにインストールされているソフトウェアに関する情報を表示するためのウインドウである。図１２６のウインドウでNodeボタンがクリックされると、図１２７のNODE Selectionウインドウが開かれる。図１２７のウインドウで、対象とするＮＯＤＥが指定されると、当該ＮＯＤＥからソフトウェアのバージョン情報とそのインストールされた日付が読み出される。この読み出された内容は、当該ＮＯＤＥの名称と共に、図１２６のウインドウに表示される。
【０３２１】
図１２３のウインドウでName Settingボタンがクリックされると、図１２８のName Settingウインドウが表示される。図１２８のウインドウは、リングネットワーク内の個々のＮＯＤＥの名称を読み出して表示するためのウインドウである。またこのウインドウは、個々のＮＯＤＥの名称の設定を行なうためのウインドウである。ここで言うＮＯＤＥの名称とは、例えば＃０１，＃０２，…といった番号に限らず、いわばニックネーム的な名称を意味する。
【０３２２】
図１２８のウインドウにおいてRing Networkボタンがクリックされると、図１２９のRing Network Selectionウインドウが開かれる。図１２９のウインドウでは、操作の対象とするＮＯＤＥが属するリングネットワークが指定される。図１２９のウインドウでExecボタンがクリックされると、図１２８のウインドウに、指定されたリングネットワークの模式図と共に、該リングネットワークに属するＮＯＤＥの現在の名称が表示される。
【０３２３】
図１２８のウインドウにおいては、ＮＯＤＥの名称の表示欄にキャレット（縦棒マーク）が表示され、新たな名称の入力が促されるようになっている。任意のノードに名称が与えられたのちExecボタンがクリックされると、当該ノードにつき与えられた名称が有効となる。図１２８のウインドウでは、複数のＮＯＤＥに対する名称の設定を、リングネットワークごと一括して実行できることが特徴である。このウインドウで付された名称は、他のウインドウでの表示にも反映される。
【０３２４】
図１２３のウインドウでAuto Time Adjustment Settingボタンがクリックされると、図１３０のAuto Time Adjustment Settingウインドウが表示される。本実施形態におけるネットワークシステムは、マスターとなる装置が、スレーブとなる装置の動作時刻を自動的に、例えば毎日決まった時刻に設定する機能を備えている。この種の機能をAuto Time Adjustmentと称する。図１３０のウインドウは、この機能に係わる各パラメータを設定するためのウインドウである。
【０３２５】
図１３０のウインドウでは、Mode:欄において、ログイン中のＵ−ＮＭＥ３をマスターとして動作させるか、スレーブとして動作させるかが選択される。マスターに設定されたＵ−ＮＭＥ３は、例えば起動時、または毎日の定時刻に他のＮＯＤＥやＳＳＥ２に対して動作時刻をセットする。スレーブに設定されたＵ−ＮＭＥ３は、マスターのＵ−ＮＭＥ３から動作クロックの供給を受け、これに従って動作する。
【０３２６】
図１３０のウインドウにおいて、NTP:欄では、ネットワークタイムプロトコル（ＮＴＰ）を使用する（Enable）か、しない（Disable）かが設定される。ＮＴＰとは、複数のＵ−ＮＭＥ３間で、お互いの動作時刻を同期させるためのプロトコルである。IP Address:欄では、ＮＴＰサーバ、すなわちマスターとなるＵ−ＮＭＥ３のＩＰアドレスが設定される。
【０３２７】
図１２３のウインドウでSSE Switching Controlボタンがクリックされると、図１３１のSSE Switching Controlウインドウが表示される。図１３１のウインドウは、ＳＳＥ２の障害の際のアクセスルートの設定に係わるウインドウである。このウインドウにおいては、Auto（自動）またはManual（手動）のいずれかが選択される。
【０３２８】
図１に示されるように、局舎内におけるＵ−ＮＭＥ３とＮＯＤＥ１−１〜１−ｎとの通信は、ＳＳＥ２を経由して実施される。このため、ＳＳＥ２に障害が発生すると、Ｕ−ＮＭＥ３とＮＯＤＥ１−１〜１−ｎとの間の通信が途絶することになる。そこで、このような場合には隣接する他の局舎を迂回するアクセスルートを設定し、Ｕ−ＮＭＥ３とＮＯＤＥ１−１〜１−ｎとの間の通信が途絶しないようにする。
【０３２９】
図１３１のウインドウでAutoが設定された場合には、障害発生の際に迂回ルートが自動的に設定される。迂回ルートとしては、ＷＥＳＴ側の局舎を経由するルート、またはＥＡＳＴ側の局舎を経由するルートの２通りがある。いずれか片方のルートを使用するように固定的に設定しておくと、システムの設計上の都合が良いであろう。もちろん、迂回ルートを、その時々のネットワーク構成に応じてダイナミックに設定するようにしても良い。選択したルートにより通信時間が異なることはほとんど無いと言える。
【０３３０】
図１３１のウインドウでAutoが設定された状態で、いずれかのＳＳＥ２に障害が発生すると、その旨の通知がＵ−ＮＭＥ３に通知される。この通知を受信したＵ−ＮＭＥ３は、画面上に、例えば次の旨のメッセージを示すCAUTIONウインドウ（図示せず）を表示する。
「ダウンしたＳＳＥ２を迂回するリルーティングメカニズムが動作中です。
0003641251.tif 000002
こようなメッセージを表示することで、オペレータに迂回ルートの設定が完了したことを通知できる。
【０３３１】
例えば、局舎ＳＴ−１のＳＳＥ２に障害が発生すると、この局舎のＵ−ＮＭＥ３は局舎ＳＴ−ｍへの迂回ルートを設定することになる。この場合、局舎ＳＴ−１のＵ−ＮＭＥ３から同局舎のＮＯＤＥ１−１へのアクセスルートは、（ＳＴ−１のＵ−ＮＭＥ３→ＳＴ−１のルータ４→ＳＴ−ｍのルータ４→ＳＴ−ｍのＳＳＥ２→ＳＴ−ｍのＮＯＤＥ１−１→ＳＴ−１のＮＯＤＥ１−１）なる経路を辿ることになる。
【０３３２】
一方、図１３１のウインドウでManualが設定された状態で局舎内のＳＳＥ２に障害が発生すると、その旨の通知を受信したＵ−ＮＭＥ３は、例えば次の旨のメッセージを示すCAUTIONウインドウ（図示せず）を表示する。
「ＳＳＥから障害を知らせるレポートが通知されました。
【０３３３】
迂回路再設定メカニズムを直ちに起動して下さい。
【０３３４】
0003641251.tif 000003
ＯＫボタンをクリックすると、迂回路再設定メカニズムが起動します。
Ｃａｎｃｅｌボタンをクリックするとこの問題は放置されます。のちほど手動により迂回路再設定メカニズムの起動を行なう必要が有ります。」
こようなメッセージを表示することで、オペレータに迂回ルートの設定を促す。
【０３３５】
図１２３のウインドウでNODE Access Route Controlボタンがクリックされると、図１３２のNODE Access Route Controlウインドウが表示される。図１３２のウインドウは、同一の局舎内におけるＵ−ＮＭＥ３とＮＯＤＥとの間のアクセスルートを、ＳＳＥ２の障害の有無に拘わらず、強制的に迂回させる場合に使用されるウインドウである、
図１３２のウインドウにおいて、Stationボタンがクリックされると、図１３４のStation Selectionウインドウが開かれる。図１３４のウインドウにおいては、任意の局舎が選択される。図１３４のウインドウでExecボタンがクリックされると図１３２のウインドウに戻り、このウインドウにおいて、Process:欄でMain RouteまたはDetoirのいずれかが選択される。
【０３３６】
図１３２のウインドウでMain Routeが選択されると、図１３７の模式図に示すように、Ｕ−ＮＭＥ３とＮＯＤＥ１−１（他のＮＯＤＥ１−２〜１−ｎでも同様）との間に実線で示すメインルートが設定される。このルートが通常のアクセスルートとなる。図１３２のウインドウでDetourが選択されると、図１３７の模式図の点線で示すように、Ｕ−ＮＭＥ３とＮＯＤＥ１−１との間に迂回ルートが強制的に設定される。
【０３３７】
図１２３のウインドウでDB Synchronizing Controlボタンがクリックされると、図１３３のDB Synchronizing Controlウインドウが表示される。図１３３のウインドウは、ＮＯＤＥ１−１〜ＮＯＤＥ１−ｎから通知される通知情報の管理に係わるウインドウである。
【０３３８】
各ＮＯＤＥ１−１〜ＮＯＤＥ１−ｎからＵ−ＮＭＥ３に送出される通知情報は、それぞれの局舎においてＳＳＥ２を経由する。ＳＳＥ２は、ＮＯＤＥ１−１〜ＮＯＤＥ１−ｎから送出された通知情報を、履歴としてデータベースに蓄積する。
【０３３９】
ＳＳＥ２に障害が生じた場合、当該ＳＳＥ２では、通知情報の履歴をデータベースに蓄積できなくなる。そこで、本システムにおいては、迂回ルートに有るＳＳＥ２において、通知情報の履歴が代替的に蓄積されるようになっている。
【０３４０】
ＳＳＥ２が障害から復旧すると、復旧したＳＳＥ２において通知情報の履歴をデータベースに蓄積する処理が再開されるが、障害期間中の通知情報は、当該ＳＳＥ２のデータベースに無い。そこで、復旧したＳＳＥに、迂回ルートに有るＳＳＥ２から障害期間中の通知情報を移し替えることにより、データを補完する。図１３３のウインドウは、この補完処理を実行するためのウインドウである。
【０３４１】
図１３３のウインドウにおいて、Stationボタンがクリックされると図１３４のStation Selectionウインドウが開かれる。図１３４のウインドウで任意の局舎が選択される。
【０３４２】
図１３４のウインドウで所望の局舎が選択されたのちExecボタンがクリックされると、選択された局舎において、上記補完処理を行なうべきデータが存在するか否かといった情報が読み出される。この読み出された情報は、図１３３のウインドウの表示内容に反映される。図１３３においては、“Some synchronizing log record exists”として、移し替えるべきデータの存在することが示されている。図１３３のウインドウにおいてSynchronizing process startボタンがクリックされると、データの移し替え処理が実行される。
【０３４３】
次に、図１３５に示されるCAUTIONウインドウに関して説明する。このウインドウは、ＳＳＥ２の障害により、Ｕ−ＮＭＥ３とＳＳＥ２との間のアクセスルートが迂回されている局舎において、ＳＳＥ２が復旧した際に当該局舎のＵ−ＮＭＥ３に表示されるウインドウである。このウインドウには、「ＳＳＥの障害が復旧しました。迂回ルートの切戻し処理を実行しますか？」の旨の表示と共に、“Restoration”，“Restoration and DB. synchro.”“No restoration”なる機能ボタンが表示され、オペレータの操作を促す。
【０３４４】
図１３５のウインドウにおいて、Restorationボタンがクリックされると、アクセスルートが迂回ルートから通常のルートに切り戻される。Restoration and DB. synchro.ボタンがクリックされると、アクセスルートの切り戻し処理と、データの移し替え処理とが実行される。No restorationボタンがクリックされると、アクセスルートを切り戻さず、そのまま迂回を継続する。ただし、No restorationボタンがクリックされた場合でも、図１３２のウインドウを用いて迂回を手動で中止したり、図１３３のウインドウを用いてデータの移し替え処理を実行することは可能である。
【０３４５】
（Ｄｉｓｐｌａｙ  Ｃｏｎｔｒｏｌ）
次に、図３の主画面におけるDisplayボタンがクリックされたときの機能につき説明する。
図３のウインドウにおいてDisplayボタンがクリックされると、図１３８のDisplay Controlウインドウが表示される。図１３８のウインドウには、画面の表示色の設定に関する項目が表示される。すなわち、Critical、Major、Minor、Warning、Clear、Other Notifications、Not Mount、Time out、Maintenance、APS Active、APS Normalなる項目ごとに、それぞれクリッカブルなColorボタンが設けられている。Critical、Major、Minor、Warning、Clear、Other Notifications、Not Mount、Time out、Maintenanceなる項目は、警報に関係する。APS Active、APS Normalなる項目は、ＡＰＳ機能に関係するもので、例えば図２０、図２１のウインドウにおける表示の状態に関係する。
【０３４６】
Colorボタンを挟んで左側の四角［□］は、各項目の現在の表示色を、右側の四角□は新たに設定された表示色を示す。図には示されていないが、それぞれの四角には色が付いている。
【０３４７】
図１３８のウインドウにおいてColorボタンがクリックされると、図１３９のColor Selectionウインドウに示される、カラーパレットが表示される。このパレットから、図１３８のウインドウにおける各項目ごとに、任意の色が選択される。図１３８のInitializeボタンがクリックされると、設定された表示色を、初期設定に戻すことができる。
【０３４８】
図１３８、図１３９のウインドウで設定された表示色は、例えば図３のObservation Displayにおける障害局舎、障害回線の色分け、図１３、２０における障害リングネットワーク、障害ＮＯＤＥの色分け、図１５における障害シェルフの色分け、図１６における障害カードの色分けなどに適用される。要するに、図１３８のウインドウで設定された表示色は、ネットワークの状態をグラフィカルに表示するウインドウにおける色分けに、全て反映される。
【０３４９】
また図１３８のウインドウには、日付と時間の表示順序を設定するDate/Time Sortingなる項目と、日付の表示形式を設定するDate Typeなる項目とが備えられている。各項目につき、任意の小項目がラジオボタンでチェックされる。図１３８においては、Time Date、およびMMM- DD-YYY（月／日／年）なる小項目がチェックされている。ここでの設定は、日付または時刻を表示する全てのウインドウに反映される。
【０３５０】
また図１３８のウインドウでは、Sorting:欄において、データの表示順序が設定される。すなわち、任意のウインドウに表示されるデータを、最新のものから順に表示するか（Latest）、旧いものから順に表示するか（Earliest）のいずれかが選択される。
【０３５１】
以上説明したように本実施形態によれば、ヒューマンマシンインタフェースを改善することができ、運用上の便宜の向上を図った監視制御装置を提供することが可能となる。
【０３５２】
なお、本発明は上記実施の形態に限定されるものではない。
例えば上記実施形態においては、Ｕ−ＮＭＥ３における機能につき説明した。しかしながら、上記で説明したのと同種の機能は、プロセッサの能力の及ぶ範囲内で、ＳＳＥ２に受け持たせることも可能である。
また上記実施形態では各局舎に一つずつＵ−ＮＭＥ３を設置するようにしたが、システム構成によっては一つのＵ−ＮＭＥ３でネットワーク全体を監視制御するようにしても良い。または、任意の複数の局舎にＵ−ＮＭＥ３を設置するようにしても良い。
また、上記各ウインドウおよび機能ボタンの名称、各ウインドウにおける表示オブジェクトの配置、機能ボタンの位置などは上記実施形態に限るものではない。
その他、本発明の要旨を逸脱しない範囲で種々の変形実施を行うことができる。
【０３５３】
【発明の効果】
以上説明したように本発明によれば、ヒューマンマシンインタフェースを改善し、運用上の便宜の向上を図った通信パス設定方法を提供することができる。このことから本発明は、光海底ケーブルシステムに係わる技術分野、特にＳＤＨ／ＳＯＮＥＴに準拠するネットワークに係わる技術分野に有効である。
【図面の簡単な説明】
【図１】  本発明の実施の形態に係わる監視制御装置が設置される伝送システムのシステム構成図。
【図２】  図１に示された監視制御装置（Ｕ−ＮＭＥ）３の構成を示すブロック図。
【図３】  図２に示されたＵ−ＮＭＥ３のディスプレイ３１５における主画面を示す図。
【図４】  Loginウインドウを示す図。
【図５】  Change Passwordウインドウを示す図。
【図６】  Notification Displayウインドウを示す図。
【図７】  Item Selection（Row）ウインドウを示す図。
【図８】  Item Selection（Column）ウインドウを示す図。
【図９】  Notification Detailed Displayウインドウを示す図。
【図１０】  Alarm Cut Offウインドウを示す図。
【図１１】  U-NME Buzzer STOPウインドウを示す図。
【図１２】  HMI Propertyウインドウを示す図。
【図１３】  Network Alarm Summary Displayウインドウを示す図。
【図１４】  図１３でRing Network#01タブがクリックされたときに表示される画面の様子を示した図。
【図１５】  Node Alarm Summary Displayウインドウを示す図。
【図１６】  Shelf Alarm Summary Displayウインドウを示す図。
【図１７】  Station Alarm Summary Displayウインドウを示す図。
【図１８】  Selectionウインドウを示す図。
【図１９】  NODE Configuration Get Displayウインドウを示す図。
【図２０】  HS APS Activate Summary Displayウインドウを示す図。
【図２１】  HS APS Activate Summary Displayウインドウの表示が切り替わった状態を示す図。
【図２２】  ネットワークシステム内のHS APSの起動状態をノード単位で管理するためのデータテーブルを示す図。
【図２３】  ネットワークシステム内のHS APSの起動状態をリングネットワーク単位で管理するためのデータテーブルを示す図。
【図２４】  HS APS Activate Summary Displayウインドウの表示パターンの一覧を示す図。
【図２５】  HS APS Activate Summary Displayウインドウにおけるネットワーク管理者（オペレータ）の操作手順を説明するためのフローチャート。
【図２６】  HS APS Detailed Displayウインドウを示す図。
【図２７】  Log Controlウインドウを示す図。
【図２８】  Record Retrievalウインドウを示す図。
【図２９】  Data Loadウインドウを示す図。
【図３０】  NODE Alarm Record Retrieval Reportウインドウを示す図。
【図３１】  NODE Alarm Record Retrieval Filterウインドウを示す図。
【図３２】  NODE Alarm Record Retrieval Item Selectionウインドウを示す図。
【図３３】  CSV Format Convertウインドウを示す図。
【図３４】  Memo Data Inputウインドウを示す図。
【図３５】  Object Creation/Deletion Record Retrieval Reportウインドウを示す図。
【図３６】  Object Creation/Deletion Record Retrieval Filterウインドウを示す図。
【図３７】  Object Creation/Deletion Record Retrieval Item Selectionウインドウを示す図。
【図３８】  State Change Record Retrieval Reportウインドウを示す図。
【図３９】  State Change Record Retrieval Filterウインドウを示す図。
【図４０】  State Change Record Retrieval Item Selectionウインドウを示す図。
【図４１】  Protection Control Record Retrieval Reportウインドウを示す図。
【図４２】  Protection Control Record Retrieval Filterウインドウを示す図。
【図４３】  Protection Control Record Retrieval Item Selectionウインドウを示す図。
【図４４】  U-NME Access Record Retrieval Reportウインドウを示す図。
【図４５】  U-NME Access Record Retrieval Filterウインドウを示す図。
【図４６】  U-NME Access Record Retrieval Item Selectionウインドウを示す図。
【図４７】  Security Alarm Record Retrieval Reportウインドウを示す図。
【図４８】  Security Alarm Record Retrieval Filterウインドウを示す図。
【図４９】  Security Alarm Record Retrieval Item Selectionウインドウを示す図。
【図５０】  SSE Alarm Record Retrieval Reportウインドウを示す図。
【図５１】  SSE Alarm Record Retrieval Filterウインドウを示す図。
【図５２】  SSE Alarm Record Retrieval Item Selectionウインドウを示す図。
【図５３】  U-NME Log Controlウインドウを示す図。
【図５４】  U-NME Log Deletionウインドウを示す図。
【図５５】  U-NME Log Deletion Conditionウインドウを示す図。
【図５６】  NODE Log Controlウインドウを示す図。
【図５７】  NODE Selectionウインドウを示す図。
【図５８】  Data Backupウインドウを示す図。
【図５９】  Backupウインドウを示す図。
【図６０】  Performance Controlウインドウを示す図。
【図６１】  Performance Data Record Retrievalウインドウを示す図。
【図６２】  Performance Data Record Retrieval Conditionウインドウを示す図。
【図６３】  Data Loadウインドウを示す図。
【図６４】  Performance Data Record Retrieval Report（Graph）ウインドウを示す図。
【図６５】  Performance Data Record Retrieval Report（Graph）ウインドウを示す図。
【図６６】  Performance Data Record Retrieval Report（Graph）ウインドウを示す図。
【図６７】  Scale Settingウインドウを示す図。
【図６８】  Performance Data Record Retrieval Report（Table）ウインドウを示す図。
【図６９】  Memo Data Inputウインドウを示す図。
【図７０】  CSV Format Convertウインドウを示す図。
【図７１】  Daily/Monthly/Annual Report Printウインドウを示す図。
【図７２】  Quality of Service Alarm Controlウインドウを示す図。
【図７３】  NODE/Channel/Section Selectionウインドウを示す図。
【図７４】  品質情報の日報の一例を示す図。
【図７５】  Alarm Controlウインドウを示す図。
【図７６】  Alarm Severity Controlウインドウを示す図。
【図７７】  Probable Cause Selectionウインドウを示す図。
【図７８】  Maintenance Controlウインドウを示す図。
【図７９】  Maintenance Signal Insertion Controlウインドウを示す図。
【図８０】  NODE/Shelf Selectionウインドウを示す図。
【図８１】  Insertion Mode Settingウインドウを示す図。
【図８２】  SD Threshold Controlウインドウを示す図。
【図８３】  NODE/Shelf Selectionウインドウを示す図。
【図８４】  SD Threshold Settingウインドウを示す図。
【図８５】  Network Configurationウインドウを示す図。
【図８６】  APS Controlウインドウを示す図。
【図８７】  Protection Section Selectionウインドウを示す図。
【図８８】  APS Settingウインドウを示す図。
【図８９】  Protection Switching Controlウインドウを示す図。
【図９０】  Switching Section Selectionウインドウを示す図。
【図９１】  Path Configuration Controlウインドウを示す図。
【図９２】  Path Configurationウインドウを示す図。
【図９３】  Path Updateウインドウを示す図。
【図９４】  Node Informationウインドウを示す図。
【図９５】  Path Name Updateウインドウを示す図。
【図９６】  Path Name Inputウインドウを示す図。
【図９７】  Diagnosticsウインドウを示す図。
【図９８】  Irregular GTP Deletionウインドウを示す図。
【図９９】  Protection Status Informationウインドウを示す図。
【図１００】  Path Configuration Controlウインドウの表示例を示す図。
【図１０１】  Ring Map Administrative Controlウインドウを示す図。
【図１０２】  Ring Network Selectionウインドウを示す図。
【図１０３】  Ring Map Administrative Settingウインドウを示す図。
【図１０４】  NODE Timing mode Controlウインドウを示す図。
【図１０５】  Station/Ring Network Selectionウインドウを示す図。
【図１０６】  NODE Timing Mode Settingウインドウを示す図。
【図１０７】  NODE Functionウインドウを示す図。
【図１０８】  LS Card Controlウインドウを示す図。
【図１０９】  Notification Reporting Controlウインドウを示す図。
【図１１０】  Notification Selectionウインドウを示す図。
【図１１１】  Security Controlウインドウを示す図。
【図１１２】  User Controlウインドウを示す図。
【図１１３】  Add Userウインドウを示す図。
【図１１４】  Change Passwordウインドウを示す図。
【図１１５】  Change Access Levelウインドウを示す図。
【図１１６】  Change Valid Dateウインドウを示す図。
【図１１７】  Machine-Machine Securityウインドウを示す図。
【図１１８】  Equipment Selectionウインドウを示す図。
【図１１９】  Add Managerウインドウを示す図。
【図１２０】  Manager Name Selectionウインドウを示す図。
【図１２１】  Change Manager Levelウインドウを示す図。
【図１２２】  Auto Logout Time Settingウインドウを示す図。
【図１２３】  System Serviceウインドウを示す図。
【図１２４】  System Time Settingウインドウを示す図。
【図１２５】  Station/Ring Network Selectionウインドウを示す図。
【図１２６】  Software Informationウインドウを示す図。
【図１２７】  NODE Selectionウインドウを示す図。
【図１２８】  Name Settingウインドウを示す図。
【図１２９】  Ring Network Selectionウインドウを示す図。
【図１３０】  Auto Time Adjustment Settingウインドウを示す図。
【図１３１】  SSE Switching Controlウインドウを示す図。
【図１３２】  NODE Access Route Controlウインドウを示す図。
【図１３３】  DB Synchronizing Controlウインドウを示す図。
【図１３４】  Station Selectionウインドウを示す図。
【図１３５】  CAUTIONウインドウの一例を示す図。
【図１３６】  異なる局舎間でＳＳＥ２のデータの合わせ込みを行なう際の様子を示す模式図。
【図１３７】  Ｕ−ＮＭＥ３とＮＯＤＥ１−１との間の迂回路の設定の様子を示す模式図。
【図１３８】  Display Controlウインドウを示す図。
【図１３９】  Color Selectionウインドウを示す図。
【符号の説明】
ＳＴ−１〜ＳＴ−ｍ…局舎
１−１〜１−ｎ…伝送装置（ＮＯＤＥ）
ＦＬ…波長多重回線
ＭＬ…監視制御用回線
２…局舎内監視制御装置（ＳＳＥ）
３…監視制御装置（Ｕ−ＮＭＥ）
４…ルータ
３１…メモリモジュール
３２…プロセッサモジュール
３３…ブリッジ
３４…ＳＣＳＩ（スカジー）コントローラ
３５…ＨＤ（ハードディスクドライブ）
３６…８ｍｍＣＭＴ（Cassette Magnetic Tape）
３７…グラフィックコントローラ
３８…Ethernetコントローラ
３９…バスコントローラ
３１０…ＦＤＤ（フロッピーディスクドライブ）
３１１…インタフェース（Ｉ／Ｆ）
３１２…ディスプレイインタフェース（Ｉ／Ｆ）
３１３，３１４…ＬＡＮインタフェース（Ｉ／Ｆ）
３１５…ディスプレイ
３１６，３１７…ハブ（Ｈｕｂ）
３１８…プリンタ
３１９…キーボード・マウス
【図１】
0003641251.tif 000004
【図２】
0003641251.tif 000005
【図３】
0003641251.tif 000006
【図４】
0003641251.tif 000007
【図５】
0003641251.tif 000008
【図６】
0003641251.tif 000009
【図７】
0003641251.tif 000010
【図８】
0003641251.tif 000011
【図９】
0003641251.tif 000012
【図１０】
0003641251.tif 000013
【図１１】
0003641251.tif 000014
【図１２】
0003641251.tif 000015
【図１３】
0003641251.tif 000016
【図１４】
0003641251.tif 000017
【図１５】
0003641251.tif 000018
【図１６】
0003641251.tif 000019
【図１７】
0003641251.tif 000020
【図１８】
0003641251.tif 000021
【図１９】
0003641251.tif 000022
【図２０】
0003641251.tif 000023
【図２１】
0003641251.tif 000024
【図２２】
0003641251.tif 000025
【図２３】
0003641251.tif 000026
【図２４】
0003641251.tif 000027
【図２５】
0003641251.tif 000028
【図２６】
0003641251.tif 000029
【図２７】
0003641251.tif 000030
【図２８】
0003641251.tif 000031
【図２９】
0003641251.tif 000032
【図３０】
0003641251.tif 000033
【図３１】
0003641251.tif 000034
【図３２】
0003641251.tif 000035
【図３３】
0003641251.tif 000036
【図３４】
0003641251.tif 000037
【図３５】
0003641251.tif 000038
【図３６】
0003641251.tif 000039
【図３７】
0003641251.tif 000040
【図３８】
0003641251.tif 000041
【図３９】
0003641251.tif 000042
【図４０】
0003641251.tif 000043
【図４１】
0003641251.tif 000044
【図４２】
0003641251.tif 000045
【図４３】
0003641251.tif 000046
【図４４】
0003641251.tif 000047
【図４５】
0003641251.tif 000048
【図４６】
0003641251.tif 000049
【図４７】
0003641251.tif 000050
【図４８】
0003641251.tif 000051
【図４９】
0003641251.tif 000052
【図５０】
0003641251.tif 000053
【図５１】
0003641251.tif 000054
【図５２】
0003641251.tif 000055
【図５３】
0003641251.tif 000056
【図５４】
0003641251.tif 000057
【図５５】
0003641251.tif 000058
【図５６】
0003641251.tif 000059
【図５７】
0003641251.tif 000060
【図５８】
0003641251.tif 000061
【図５９】
0003641251.tif 000062
【図６０】
0003641251.tif 000063
【図６１】
0003641251.tif 000064
【図６２】
0003641251.tif 000065
【図６３】
0003641251.tif 000066
【図６４】
0003641251.tif 000067
【図６５】
0003641251.tif 000068
【図６６】
0003641251.tif 000069
【図６７】
0003641251.tif 000070
【図６８】
0003641251.tif 000071
【図６９】
0003641251.tif 000072
【図７０】
0003641251.tif 000073
【図７１】
0003641251.tif 000074
【図７２】
0003641251.tif 000075
【図７３】
0003641251.tif 000076
【図７４】
0003641251.tif 000077
【図７５】
0003641251.tif 000078
【図７６】
0003641251.tif 000079
【図７７】
0003641251.tif 000080
【図７８】
0003641251.tif 000081
【図７９】
0003641251.tif 000082
【図８０】
0003641251.tif 000083
【図８１】
0003641251.tif 000084
【図８２】
0003641251.tif 000085
【図８３】
0003641251.tif 000086
【図８４】
0003641251.tif 000087
【図８５】
0003641251.tif 000088
【図８６】
0003641251.tif 000089
【図８７】
0003641251.tif 000090
【図８８】
0003641251.tif 000091
【図８９】
0003641251.tif 000092
【図９０】
0003641251.tif 000093
【図９１】
0003641251.tif 000094
【図９２】
0003641251.tif 000095
【図９３】
0003641251.tif 000096
【図９４】
0003641251.tif 000097
【図９５】
0003641251.tif 000098
【図９６】
0003641251.tif 000099
【図９７】
0003641251.tif 000100
【図９８】
0003641251.tif 000101
【図９９】
0003641251.tif 000102
【図１００】
0003641251.tif 000103
【図１０１】
0003641251.tif 000104
【図１０２】
0003641251.tif 000105
【図１０３】
0003641251.tif 000106
【図１０４】
0003641251.tif 000107
【図１０５】
0003641251.tif 000108
【図１０６】
0003641251.tif 000109
【図１０７】
0003641251.tif 000110
【図１０８】
0003641251.tif 000111
【図１０９】
0003641251.tif 000112
【図１１０】
0003641251.tif 000113
【図１１１】
0003641251.tif 000114
【図１１２】
0003641251.tif 000115
【図１１３】
0003641251.tif 000116
【図１１４】
0003641251.tif 000117
【図１１５】
0003641251.tif 000118
【図１１６】
0003641251.tif 000119
【図１１７】
0003641251.tif 000120
【図１１８】
0003641251.tif 000121
【図１１９】
0003641251.tif 000122
【図１２０】
0003641251.tif 000123
【図１２１】
0003641251.tif 000124
【図１２２】
0003641251.tif 000125
【図１２３】
0003641251.tif 000126
【図１２４】
0003641251.tif 000127
【図１２５】
0003641251.tif 000128
【図１２６】
0003641251.tif 000129
【図１２７】
0003641251.tif 000130
【図１２８】
0003641251.tif 000131
【図１２９】
0003641251.tif 000132
【図１３０】
0003641251.tif 000133
【図１３１】
0003641251.tif 000134
【図１３２】
0003641251.tif 000135
【図１３３】
0003641251.tif 000136
【図１３４】
0003641251.tif 000137
【図１３５】
0003641251.tif 000138
【図１３６】
0003641251.tif 000139
【図１３７】
0003641251.tif 000140
【図１３８】
0003641251.tif 000141
【図１３９】
0003641251.tif 000142